(57)【特許請求の範囲】
【請求項１】
支持対象に対して開閉可能に支持された開閉体と、
当該開閉体の背面側又は後方に設けられ、外部電源から供給される電力に基づいて動作する電気機器と、
前記外部電源からの電力供給が行われている状況では第１位置に移動し、電力供給が遮断されている状況では第２位置に移動する移動体と、
前記開閉体が開放された状態では、前記移動体における第１位置及び第２位置の両位置間での移動を許容し、前記開閉体が閉じた状態では、前記移動体における両位置間での移動を規制する規制部と、
少なくとも前記外部電源から電力供給が開始された場合に、前記移動体の位置を検知する検知手段と
を備え、
前記検知手段は、
前記支持対象に配置され、外部電源からの電力供給が行われている状況において他方に向かって光を発する発光部及びその光を受ける受光部と、
前記開閉体に配置され、前記開閉体が前記支持対象に対して閉じた状態において、前記発光部からの光を前記受光部に向けて反射する反射部と
を有し、
前記移動体は、光を遮蔽する遮蔽部を有し、
前記移動体が第２位置にある状態では、前記発光部及び前記受光部の少なくともいずれかと前記反射部との間に前記遮蔽部が位置することにより前記発光部からの光が前記受光部に到達しないように遮蔽され、
前記発光部からの光が前記開閉体の閉状態でのみ通過可能な光通過経路を備え、前記光通過経路は少なくとも前記開閉体と前記支持対象との境界領域に設定されていることを特徴とする遊技機。
【発明の詳細な説明】
【技術分野】
【０００１】
本発明は、遊技機に関するものである。
【背景技術】
【０００２】
パチンコ機等の遊技機には、例えば外枠に対して開閉可能に取り付けられた本体枠と、本体枠に対して開閉可能に取り付けられた前面扉とを備えているものがある。また、例えば遊技機には、制御装置が設けられているとともに、外枠に対する本体枠の開放や本体枠に対する前面扉の開放を検知する開放スイッチが設けられているものもある。そして、前面扉や本体枠が開放された場合には、それらの開放が開放スイッチにより検知され、その検知結果が制御装置に入力される。制御装置では、開放スイッチからの検知結果に基づいて前面扉や本体枠が開放されたと判断した場合、スピーカ部やランプ部を用いてその旨の報知などを実行する（例えば、特許文献１参照）。
【０００３】
ここで、遊技機においては、前面扉を開放し、本体枠の前面側に設けられた遊技領域に対して不正を行う行為が想定される。また、本体枠を開放し、本体枠の背面側に搭載された制御装置に対して不正を行う行為も想定される。これに対して、遊技機の電源が投入されている状況では、上記のとおり、前面扉や本体枠の開放が制御装置において把握され、それに対して報知処理などが実行されるため、遊技ホールの管理者等は上記不正行為に対処することができる。
【先行技術文献】
【特許文献】
【０００４】
【特許文献１】特開２００２−３２０７４４号公報
【発明の概要】
【発明が解決しようとする課題】
【０００５】
しかしながら、遊技ホールでは通常、例えば遊技機の継続的な通電に起因した遊技部品等の劣化を抑制したり省エネルギ化を実現したりするために、閉店後には遊技機の電源を遮断している。遊技機の電源遮断後には、制御装置への電力の供給が停止され、前面扉や本体枠が開放されたことを制御装置にて把握することができず、それに伴って上記のような報知処理などは実行されない。したがって、従来の遊技機では、電源遮断中における上記不正行為に対処することが困難であった。
【０００６】
なお、上記問題は、パチンコ機に限って発生するものではなく、前面扉や本体枠などの開閉体を有する他の遊技機、例えばスロットマシンやパロット等にも同様に発生し得る。
【０００７】
本発明は、上記例示した事情等に鑑みてなされたものであり、遊技機への電力供給が遮断された状態において開閉体が開放された場合であっても、その開放があったことを発見することができる遊技機を提供することを目的とするものである。
【課題を解決するための手段】
【０００８】
本発明は、
支持対象に対して開閉可能に支持された開閉体と、
当該開閉体の背面側又は後方に設けられ、外部電源から供給される電力に基づいて動作する電気機器と、
前記外部電源からの電力供給が行われている状況では第１位置に移動し、電力供給が遮断されている状況では第２位置に移動する移動体と、
前記開閉体が開放された状態では、前記移動体における第１位置及び第２位置の両位置間での移動を許容し、前記開閉体が閉じた状態では、前記移動体における両位置間での移動を規制する規制部と、
少なくとも前記外部電源から電力供給が開始された場合に、前記移動体の位置を検知する検知手段と
を備え、
前記検知手段は、
前記支持対象に配置され、外部電源からの電力供給が行われている状況において他方に向かって光を発する発光部及びその光を受ける受光部と、
前記開閉体に配置され、前記開閉体が前記支持対象に対して閉じた状態において、前記発光部からの光を前記受光部に向けて反射する反射部と
を有し、
前記移動体は、光を遮蔽する遮蔽部を有し、
前記移動体が第２位置にある状態では、前記発光部及び前記受光部の少なくともいずれかと前記反射部との間に前記遮蔽部が位置することにより前記発光部からの光が前記受光部に到達しないように遮蔽され、
前記発光部からの光が前記開閉体の閉状態でのみ通過可能な光通過経路を備え、前記光通過経路は少なくとも前記開閉体と前記支持対象との境界領域に設定されていることを特徴とする。
【発明の効果】
【０００９】
本発明によれば、遊技機への電力供給が遮断された状態において開閉体が開放された場合であっても、その開放があったことを発見することができる。
【図面の簡単な説明】
【００１０】
【図１】１実施の形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】前扉枠の構成を示す背面図である。
【図６】本体枠の構成を示す正面図である。
【図７】遊技盤の構成を示す正面図である。
【図８】本体枠の構成を示す背面図である。
【図９】遊技盤の背面構成を示す斜視図である。
【図１０】遊技盤から主制御装置ユニットを取り外した状態を示す背面図である。
【図１１】主制御装置ユニットの構成を示す斜視図である。
【図１２】裏パックユニットの構成を示す正面図である。
【図１３】裏パックユニットの分解斜視図である。
【図１４】第１監視装置を前方から見た分解斜視図である。
【図１５】第１監視装置を後方から見た分解斜視図である。
【図１６】（ａ）は図８のＡ―Ａ線部分断面図、（ｂ）は図８のＢ―Ｂ線部分断面図である。
【図１７】監視装置の動作を説明する説明図である。
【図１８】図８のＣ―Ｃ線部分断面図である。
【図１９】パチンコ機の電気的構成を示すブロック図である。
【図２０】主制御装置のＣＰＵによるＮＭＩ割込み処理を示すフローチャートである。
【図２１】タイマ割込み処理を示すフローチャートである。
【図２２】メイン処理を示すフローチャートである。
【図２３】通常処理を示すフローチャートである。
【図２４】前扉枠及び遊技機主部の開放の監視に関する電気的構成を示すブロック図である。
【図２５】前扉枠開放監視処理を示すフローチャートである。
【図２６】監視装置の変形例を示す概略図である。
【発明を実施するための形態】
【００１１】
はじめに、本実施の形態から抽出され得る発明を、必要に応じて効果等を示しつつ説明する。
【００１２】
以下の各手段は「遊技機の一種であるパチンコ機は、外枠に対して開閉可能に取り付けられた本体枠と、本体枠に対して開閉可能に取り付けられた前面扉とを備えている。また、パチンコ機には、制御装置が設けられているとともに、外枠に対する本体枠の開放や本体枠に対する前面扉の開放を検知する開放スイッチが設けられている。そして、前面扉や本体枠が開放された場合には、それらの開放が開放スイッチにより検知され、その検知結果が制御装置に入力される。制御装置では、開放スイッチからの検知結果に基づいて前面扉や本体枠が開放されたと判断した場合、スピーカ部やランプ部を用いてその旨の報知などを実行する（例えば、特許文献１参照）。ここで、パチンコ機においては、前面扉を開放し、本体枠の前面側に設けられた遊技領域に対して不正を行う行為が想定される。また、本体枠を開放し、本体枠の背面側に搭載された制御装置に対して不正を行う行為も想定される。これに対して、パチンコ機の電源が投入されている状況では、上記のとおり、前面扉や本体枠の開放が制御装置において把握され、それに対して報知処理などが実行されるため、遊技ホールの管理者等は上記不正行為に対処することができる。」という背景技術について、「しかしながら、遊技ホールでは通常、パチンコ機の継続的な通電に起因した遊技部品等の劣化を抑制したり省エネルギ化を実現したりするために、閉店後にはパチンコ機の電源を遮断している。パチンコ機の電源遮断後には、制御装置への電力の供給が停止され、前面扉や本体枠が開放されたことを制御装置にて把握することができず、それに伴って上記のような報知処理などは実行されない。したがって、従来のパチンコ機では、電源遮断中における上記不正行為に対処することが困難であった。なお、上記問題は、パチンコ機に限って発生するものではなく、前面扉や本体枠などの開閉体を有する他の遊技機、例えばスロットマシンやパロット等にも同様に発生し得る。」という発明が解決しようとする課題をもってなされたものである。
手段１．支持対象（外枠１１や本体枠１３）に対して開閉可能に支持された開閉体（遊技機主部１２や前扉枠１４）と、
当該開閉体の背面側又は後方に設けられ、外部電源から供給される電力に基づいて動作する電気機器（主制御装置１６２や払出制御装置２４２等）と、
前記外部電源からの電力供給が行われている状況では第１位置に移動し、電力供給が遮断されている状況では第２位置に移動する移動体（動作軸２７７の遮蔽部２７７ｂ）と、
前記開閉体が開放された状態では、前記移動体における第１位置及び第２位置の両位置間での移動を許容し、前記開閉体が閉じた状態では、前記移動体における両位置間での移動を規制する規制部（突起１４ｂや突起２９６）と、
少なくとも前記外部電源から電力供給が開始された場合に、前記移動体の位置を検知する検知手段（検知装置２６５）と
を備えていることを特徴とする遊技機。
【００１３】
手段１の遊技機では、少なくとも電力の供給が開始された際に移動体の位置が検知される。その検知結果に基づいて、電力の供給が停止されている間に開閉体が開閉されたかどうかを確認することができる。
【００１４】
電力供給状態で開閉体を閉じている場合、移動体は第１位置に存在している。開閉体が閉じられた状態のまま電力の供給が停止されると、移動体は第２位置へ移動しようとする。しかしながら、その移動体の移動は規制部によって規制される（妨げられる）。以下この状態を待機状態という。この待機状態で電力の供給が再開されると、検知手段によって移動体が第１位置に存在していると検知される。
【００１５】
一方、待機状態において開閉体が開放された場合には、移動体の移動が許容される。このため、移動体は第２位置へと移動する。再び開閉体が閉じられることで、規制部は移動体の移動を規制する状態へと移行される。すなわち、移動体の第２位置から第１位置への移動が規制された状態となる。この状態で電力の供給が再開されると、移動体は第１位置へ移動しようとする。しかしながら、規制部によってその移動が妨げられるため、第２位置に留まった状態となる。このため、検知手段によって第２位置に存在していると検知される。
【００１６】
上述の如く、電力の供給が停止した状態で、開閉体の位置が切り替わることで、開閉体の開放が行なわれたことに起因する構造的な変化を生じさせることができる。そして、開閉体が閉じられることで、この変化を構造的に保存することができる。これにより、電力の供給が開始された際に、待機状態にて開閉体の開放が行なわれた事実を確認することができる。このように構造的側面から開閉体の開閉事実を保存することができる構成とすることで、夜間等に電力の供給を継続して行うことを回避しつつ、すなわちエネルギの節約（省エネ）に貢献しつつ、遊技機に対して行なわれる不正行為を抑制することができる。
【００１７】
なお、本手段に示す「第１位置」及び「第２位置」は所定の場所を示し、移動体が移動可能な所定の範囲を有していてもよい。
【００１８】
また、「少なくとも前記外部電源から電力供給が開始された場合」とは、電力の供給が開始されたその時点や、電力の供給が開始された後を示すものである。
【００１９】
手段２．前記検知手段によって、前記第１位置及び前記第２位置のいずれか一方の位置における前記移動体の有無が判定されることを特徴とする手段１に記載の遊技機。
【００２０】
移動体の位置を検出するには、各位置に個々に対応する検知手段を設定することが考えられる。このように移動体の存在を全ての位置にて検知する構成とすると、移動体の位置を確実に把握することができる反面、検知手段の構成が煩雑化する可能性が生じる。
【００２１】
本手段に示すように、第１位置及び前記第２位置のいずれか一方の位置における移動体の有無の判定を行う構成とすることで、移動体の位置検知機能を担保しつつ、検知手段の構成の簡略化に貢献できる。例えば、移動体が第１位置及び第２位置の両位置間でのみ切り替え可能である場合、第１位置及び前記第２位置のいずれか一方の位置における移動体の有無の判定を行う構成とすることで、移動体がいずれの位置にあるかを直接的又は間接的に把握できる。これにより、移動体の位置の検知を確実なものとしつつ、検知手段の構成の簡略化に貢献することができる。
【００２２】
手段３．前記移動体を前記第２位置に向かって常時付勢する第２位置付勢手段（動作軸２７７の自重）と、
前記外部電源からの電力が供給されている状況にて、前記移動体を前記第１位置に向かって付勢する第１位置付勢手段（動作機構２７５のソレノイド２７６）と
を備え、
前記第１位置付勢手段の付勢力が前記第２位置付勢手段の付勢力よりも大きく設定されていることを特徴とする手段１又は手段２に記載の遊技機。
【００２３】
移動体を第１位置及び第２位置の両位置にて移動可能とするには、本手段に示すように、２つの付勢手段を設けるとよい。電力が供給されている状態においては、第１位置付勢手段の付勢力が第２位置付勢手段の付勢力に勝り、移動体は第１位置に移動可能となる。一方、電力の供給が停止している状態においては、第２位置付勢手段の付勢力によって、移動体が第２位置に移動可能となる。これにより、実用上好ましい構成を実現することができる。例えば、第２位置付勢手段としてバネ等の弾性部材を用いるとともに、第１位置付勢手段としてソレノイドアクチュエータ等の電気式アクチュエータを用いるとよい。
【００２４】
手段４．前記第２位置は、前記第１位置よりも下方に設定されていることを特徴とする手段１乃至手段３のいずれか１つの手段に記載の遊技機。
【００２５】
手段４によれば、第２位置が第１位置よりも下方に設定されているため、移動体の移動方向成分には上下方向成分が含まれる。これにより、移動体の自重落下を利用した第１位置から第２位置への移動を可能とし、移動体を移動させるための構成を簡略化できる。
【００２６】
特に手段２との組み合わせに（第１位置付勢手段及び第２位置付勢手段を有する構成）においては、第２位置付勢手段として移動体の自重を利用すればよい。
【００２７】
手段５．前記規制部は、前記移動体の両位置間での移動を規制する規制状態と、前記移動体の移動を許容する許容状態とに、前記開閉体の開閉に伴って切り替え可能に設けられていることを特徴とする手段１乃至手段４のいずれか１つの手段に記載の遊技機。
【００２８】
手段５によれば、規制部を開閉体の開閉に伴って切り替え可能とすることで、規制部の状態切り替えのための動力を別途設ける必要がない。すなわち、電力の供給が停止した状態においても、規制部の切り替えを機械的側面から実現することができる。例えば、規制部が開閉体の開閉運動に追従して移動する構成とすればよい。
【００２９】
手段６．前記規制部は、前記移動体の移動経路上の位置と、移動経路から離れた位置とで切り替え可能に設定され、
前記支持対象及び前記開閉体のうちいずれか一方が前記移動体を備え、他方が前記規制部を備えていることを特徴とする手段１乃至手段５のいずれか１つの手段に記載の遊技機。
【００３０】
手段６によれば、規制部が、移動体の移動経路上に位置することで移動体の移動を規制し、移動体の移動経路から離間することで移動体の移動を許容する構成とすることができる。それら規制部及び移動体が開閉体と支持対象とに別々に設けられていることで、開閉体の開閉動作に伴って両者の位置関係を容易に変化させることができる。すなわち、規制部の移動体に対する相対位置を容易に切り替えることができる。これにより簡易な構成の実現に貢献できる。例えば、両者の相対位置の変位方向を開閉体の開閉方向と同一とすることで、開閉体の開閉による相対位置の変位を積極的に利用することができる。これにより、規制部と移動体（詳しくはその移動経路）と相対位置の変位量を担保しやすい構成とすることができ、より確実な切り替えの実現に貢献することができる。
【００３１】
手段７．前記開閉体は、前記支持対象に対して回動可能に取り付けられており、少なくともと前記移動体及び前記規制部は前記開閉体の回動先端側に配置されていることを特徴とする手段６に記載の遊技機。
【００３２】
手段７によれば、少なくとも移動体及び規制部は開閉体の回動先端側に配置されている。このため、両者が回動基端側に配置されている場合と比較して、開閉体の開放角度に対する相対位置の変位量を担保しやすくすることができる。すなわち、開閉体の開放角度が小さい場合であっても、移動体の移動が許容されている状態へ移行されやすい。故に、開閉体の開放度による不正検知機能への影響を受けにくい。例えば、開閉体を少しだけ開けて不正を行うことで、規制部による規制状態の解除が行われにくくするといった不都合を好適に抑制することができる。特に、遊技球が流下する遊技領域を有するパチンコ機等の遊技機においては、開閉体を少しだけ開いた状態での不正が生じ得る。しかしながら上述した構成の適用により、このような不正行為に対する抑制効果を担保することができる。
【００３３】
手段８．前記検知手段は、外部電源からの電力供給が行われている状況において信号を発する送信部（発光素子２６６）と、前記開閉体が閉じた状態で前記信号を受信可能な受信部（受光素子２６７）とを少なくとも備え、
前記移動体が第２位置にある状態では、当該移動体によって、前記送信部から発せられた信号が前記受信部に到達する前に遮蔽されることを特徴とする手段７に記載の遊技機。
【００３４】
手段８によれば、発信部から発せられた信号が受信部に到達する前に、移動体に遮られることで、移動体が第２位置に存在していることを検知することができる。かかる場合、電力の供給が停止している間に開閉体の開放が行なわれた可能性があることを把握することができる。
【００３５】
また、電力が供給されている状態において送信部から発せられた信号は、開閉体が閉じた状態でのみ受信部に到達する。これにより、開閉体が閉じた状態であることを検知することができる。一方、開閉体が開放された状態では、信号の受信が行なわれない。これにより、開閉体が開放された状態であることを検知することができる。つまり、検知手段は、外部電源からの電力供給が遮断されている状況及び電力供給が行われている状況のいずれにおいても、開閉体の開放を監視する機能を有することとなり、それぞれの機能を別々の構成にて具現化する場合と比べて、遊技機の部品点数の増加を抑えることができる。
【００３６】
例えば、発信部を光を発する発光部とし、受信部を光を受ける受光部とするとよい。
【００３７】
手段９．前記発信部から発せられた信号が前記開閉体の閉状態でのみ通過可能な信号通過経路を備え、前記信号通過経路は少なくとも前記開閉体と前記支持対象との境界領域に設定されていることを特徴とする手段８に記載の遊技機。
【００３８】
開閉体が閉状態でのみ、信号の送受信が可能な構成とするには、本手段に示すように、信号通過経路を少なくとも開閉体と支持対象との境界領域に設定するとよい。これにより、開閉体の開閉検知を簡易な構成で実現することができる。
【００３９】
手段１０．前記検知手段は、
前記開閉体及び前記支持対象のうち少なくともいずれか一方に配置され、他方に向かって光を発する発光部（発光部２６６）及びその光を受ける受光部（受光部２６７）と、
他方に設けられ、前記開閉体が前記支持対象に対して閉じた状態において、前記発光部からの光を前記受光部に向けて反射する反射部（光反射部材２７４の反射面２７４ｂ，２７４ｃ）と
を有し、
前記移動体は光を遮蔽する遮蔽部（遮蔽部２７７ｂ）を備え、
前記遮蔽部は、前記移動体が第２位置にある状態において、前記発光部及び前記受光部の少なくともいずれかと前記反射部材との間に位置していることを特徴とする手段７に記載の遊技機。
【００４０】
手段１０によれば、発光部から発せられた光が受光部に到達する前に移動体の遮蔽部によって遮られることで、移動体が第２位置に存在していることを検知することができる。かかる場合、電力の供給が停止している間に開閉体の開放が行なわれた可能性があることを把握することができる。
【００４１】
また、電力が供給されている状態において発光部から発せられた光は、開閉体が閉じた状態でのみ受光部に到達する。これにより、開閉体が閉じた状態であることを検知することができる。一方、開閉体が開放された状態では、光の受け渡しが行なわれない。これにより、開閉体が開放された状態であることを検知することができる。つまり、検知手段は、外部電源からの電力供給が遮断されている状況及び電力供給が行われている状況のいずれにおいても、開閉体の開放を監視する機能を有することとなり、それぞれの機能を別で設ける構成に比して、遊技機の部品点数の削減が図られる。
【００４２】
上述の如く、検知手段を追加することで、構成の煩雑化が生じるおそれがある。特に配線等の取り廻しが煩雑化することで、遊技機の製造工程が複雑化したり、メンテナンス等の際の作業性が悪化したりすると懸念される。本手段においては、開閉体又は支持対象に発光部と受光部とをまとめて設けることで、配線の取り廻しの煩雑化を抑制することができる。例えば、支持対象に発光部及び受光部を設け、開閉体に反射部を設けるとよい。これにより、開閉体の重量の増加を抑えることができるため、開閉体の建付け等への影響を抑えつつ、開閉体の開放検知を実現することができる。また、近年では機種交換の際に、開閉体を交換し、支持対象を共通で使用することで遊技機のリユース性の向上が図られている。上述の如く、発光部及び受光部を支持対象にまとめて配することで、構成部品が増加しつつも、それらのリユース性の向上に貢献できる。
【００４３】
手段１１．前記検知手段は、前記移動体が前記第１位置及び前記第２位置のいずれか一方にある状態において前記移動体に当接するスイッチ（スイッチ４１０）を有していることを特徴とする手段１乃至手段７のいずれか１つの手段に記載の遊技機。
【００４４】
手段１１によれば、スイッチと移動体とが当たるか否かによって、移動体が第１位置及び第２位置のいずれかに存在しているかを検知することができる。光センサ等を用いることで移動体の位置を検知する場合と比較して、検知装置を稼動させるのに必要な電力を抑えることが容易である。これにより、省エネへの貢献度向上に寄与できる。
【００４５】
手段１２．前記スイッチは、前記移動体から離間している離間位置と、前記移動体に接触する接触位置との両位置間で変位可能に構成され、
前記スイッチの変位方向が前記移動体の移動方向と同一方向に向けて設定されていることを特徴とする手段１１に記載の遊技機。
【００４６】
手段１２によれば、移動体の移動方向とスイッチの変位方向とを同一とした。これにより、移動体とスイッチとの接触方向に所定の負荷を発生させることが容易となる。例えば、遊技機が揺れる等した場合であっても、移動体とスイッチとの接触状態を保持することが容易となる。
【００４７】
手段３及び手段４との組み合わせにおいては特に、移動体が第２位置にある状態にて両者が当接する構成とすればよい。これにより、移動体の自重又は第２位置付勢手段により、移動体とスイッチとの接触状態を一層好適に担保できる。
【００４８】
手段１３．前記外部電源に接続され、前記検知手段による検知結果に基づき所定の不正発生及びその可能性を報知する報知手段（エラー表示ランプ部２４やスピーカ部２６や図柄表示装置９１等）を備えていることを特徴とする手段１乃至手段１２のいずれか１つの手段に記載の遊技機。
【００４９】
手段１３によれば、報知手段を遊技機に設けることで、開閉体の不正開放の検知及びその報知を遊技機にて完結することができる。これにより、ホールの営業形態に左右されず、不正対策機能を有する遊技機の導入を促進することができる。例えば、遊技機が絵柄表示装置（絵柄表示装置９１）やランプ部（エラー表示ランプ部２４）やスピーカ（スピーカ部２６）等を有する構成においては、それら絵柄表示装置等を報知手段として利用すればよい。
【００５０】
手段１４．前記支持対象は、少なくとも前記開閉体における回動先端側の外周縁を遊技機側方から覆う遮蔽部（開口フランジ１３ａ）を有し、
前記遮蔽部と前記開閉体との重なりが、前記開閉体の回動が所定の角度に到達するまで維持される遊技機であって、
前記規制部と前記移動体の移動経路との交差状態が維持される前記開閉体の開動角度のが、前記遮蔽部と前記開閉体との重なりが維持される開閉体の回動角度よりも小さく設定されていることを特徴とする手段６又は手段７に記載の遊技機。
【００５１】
手段１４によれば、待機状態において開閉体が回動された際には、先ず移動体の移動規制が解除され、移動体の第２位置への移動が可能となる。さらに開閉体を回動することで、遮蔽部と開閉体の重なりが解け、開閉体における支持対象と対向する部位が視認可能となる。すなわち、規制部等が視認可能となる。このように、移動体の移動が、開閉体と遮蔽部との重なりによって遮られることで、遊技機外部からの移動体等への不正なアクセスを困難なものとすることができる。故に、開閉体の不正開放検知を一層好適なものとすることができる。
【００５２】
手段１５．前記検知手段によって、前記外部電源からの電力供給が行われている状況及び電力供給が遮断されている状況のいずれにおいても前記移動体の位置を検知が検知されることを特徴とする手段１乃至手段１４のいずれか１つの手段に記載の遊技機。
【００５３】
手段１５によれば、上記手段１乃至手段１４に示したように、電力遮断時に開閉体の開放が行われたことを検知することができ、更に同一の構成（詳しくは移動体や規制部等）を用いることで電力供給中における開閉体の開放を検知することもできる。このように、同一の構成を用いることで開閉体の開放を監視することで、それぞれの機能を別で設ける構成に比して、遊技機の部品点数の削減が図られる。開放検知に関する構成が複雑化することを回避することで、開放検知に関する構成自体に不正がなされた場合であってもこれを発見しやすくすることができる。故に、更なる防犯性の向上に貢献することができる。
【００５４】
以下に、以上の各手段を適用し得る各種遊技機の基本構成を示す。
【００５５】
弾球遊技機：遊技者が操作する操作手段（遊技球発射ハンドル４１）と、その操作手段の操作に基づいて遊技球を弾いて発射する球発射手段（遊技球発射機構１１０）と、その発射された遊技球を所定の遊技領域に導く球通路（内レール１０及び外レール１０２）と、遊技領域内に配置された各遊技部品（一般入賞口８２や釘８８等）とを備えた遊技機。
【００５６】
特別表示部及び可変表示装置を備えた弾球遊技機：遊技者が操作する操作手段と、その操作手段の操作に基づいて遊技球を弾いて発射する球発射手段と、その発射された遊技球を所定の遊技領域に導く球通路と、遊技領域内に配置された作動口、特別表示部、可変表示装置及び可変入賞装置とを備え、作動口への遊技球の入球を検知すると特別表示部に表示される表示内容を可変表示し、その停止時の表示内容が特定の表示内容である場合に可変入賞装置を所定態様で開放させるようにした遊技機。
【００５７】
スロットマシン等の回胴式遊技機：「複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【００５８】
球使用ベルト式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【００５９】
（第１の実施形態）
以下、遊技機の一種であるパチンコ遊技機（以下、「パチンコ機」という）の第１の実施形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。また、以下の説明において、特に指示しない限りはパチンコ機１０の正面視を基準に上下左右等の方向を特定することとする。例えば、図１の手前側を前側、奥側を後側とする。
【００６０】
パチンコ機１０は、当該パチンコ機１０の外殻を形成する外枠１１と、この外枠１１に対して前方に回動可能（開閉可能）に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【００６１】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能（開閉可能）に支持されている。詳細には、正面視で左側を回動基端側（開閉基端側）とし右側を回動先端側（開閉先端側）として本体枠１３が前方へ回動可能とされている。
【００６２】
本体枠１３には、図２に示すように、前扉枠１４が回動可能（開閉可能）に支持されており、正面視で左側を回動基端側（開閉基端側）とし右側を回動先端側（開閉先端側）として前方へ回動可能とされている。また、本体枠１３には、図３に示すように、裏パックユニット１５が回動可能（開閉可能）に支持されており、正面視で左側を回動基端側（開閉基端側）とし右側を回動先端側（開閉先端側）として後方へ回動可能とされている。
【００６３】
次に、前扉枠１４について説明する。なお、以下の説明では、図１〜図３を参照するとともに、前扉枠１４の背面の構成については図５を参照する。図５は、前扉枠１４の背面図である。
【００６４】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。なお、ガラス２２に代えて、透明樹脂板を嵌め込むようにしてもよい。
【００６５】
窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【００６６】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００６７】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００６８】
前扉枠１４の背面には、図２及び図５に示すように、通路形成ユニット５０が取り付けられている。通路形成ユニット５０は、合成樹脂により形成されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【００６９】
前扉枠１４の背面における回動基端側（図５の右側）には、その上端部及び下端部に突起軸６１，６２が設けられている。これら突起軸６１，６２は本体枠１３に対する組付機構を構成する。また、前扉枠１４の背面における回動先端側（図５の左側）には、図２に示すように、後方に延びる鉤金具６３が上下方向に複数並設されている。これら鉤金具６３は本体枠１３に対する施錠機構を構成する。
【００７０】
次に、本体枠１３について詳細に説明する。図６は本体枠１３の正面図である。
【００７１】
本体枠１３は、外形が外枠１１とほぼ同一形状をなす樹脂ベース７１を主体に構成されている。樹脂ベース７１の前面における回動基端側（図６の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【００７２】
樹脂ベース７１の前面における回動先端側（図６の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【００７３】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。樹脂ベース７１の右上隅部、すなわち前扉枠１４の回動先端側には、内外（すなわち前後方向）に貫通する略矩形状の開口部７１ｂが形成されている。この開口部７１ｂには前扉枠１４の開放を監視する第１監視装置２５０が嵌まっている。第１監視装置２５０についての詳細は後述する。
【００７４】
樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域が樹脂ベース７１の窓孔７６を通じて本体枠１３の前面側に露出した状態となっている。
【００７５】
ここで、遊技盤８１の構成を図７に基づいて説明する。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２は、左右にそれぞれ２個ずつ合計４個設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域から排出される。また、遊技盤８１には、遊技球の落下方向を適宜分散、調整等するために多数の釘８８が植設されていると共に、風車等の各種部材（役物）が配設されている。
【００７６】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【００７７】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００７８】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【００７９】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【００８０】
遊技盤８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【００８１】
遊技球発射機構１１０は、図６に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【００８２】
発射レール１１２と遊技盤８１に取り付けられた内，外レール部１０１，１０２との間には所定間隔の隙間があり、この隙間より下方には前扉枠１４の通路形成ユニット５０に形成されたファール球通路５５が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路５５内に入る。ファール球通路５５は前扉側下皿通路５２に通じており、ファール球通路５５に入った遊技球は下皿３４に排出される。
【００８３】
樹脂ベース７１において発射レール１１２の下方には、内外（すなわち前後方向）に貫通する略矩形状の開口部７１ｃが形成されている（図８参照）。この開口部７１ｂには遊技機主部１２の開放を監視する第２監視装置２９０が嵌まっている。第２監視装置２９０についての詳細は後述する。
【００８４】
樹脂ベース７１において発射レール１１２の左方には、樹脂ベース７１を前後方向に貫通させて通路形成部１２１が設けられている。通路形成部１２１には図３に示すように本体側上皿通路１２２と本体側下皿通路１２３とが形成されている。本体側上皿通路１２２及び本体側下皿通路１２３の上流側は、後述する遊技球分配部に通じている。また、通路形成部１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている。
【００８５】
樹脂ベース７１において通路形成部１２１の下方には、本体側上皿通路１２２及び本体側下皿通路１２３を開閉する開閉部材１２４が取り付けられている。開閉部材１２４はその下端に設けられた支軸１２５により前後方向に回動可能に支持されており、さらに本体側上皿通路１２２及び本体側下皿通路１２３を閉鎖する前方位置に付勢する図示しない付勢部材が設けられている。したがって、前扉枠１４を本体枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット５０に設けられた受口部５３により付勢力に抗して開閉部材１２４が押し開けられる。この状態では、本体側上皿通路１２２と前扉側上皿通路５１とが連通し、さらに本体側下皿通路１２３と前扉側下皿通路５２とが連通している。
【００８６】
次に、本体枠１３の背面構成について説明する。図８は本体枠１３の背面図である。
【００８７】
樹脂ベース７１の背面における回動先端側（図８の左側）には、施錠装置１３１が設けられており、シリンダ錠７５におけるキー操作に対して施錠装置１３１が連動し、本体枠１３及び前扉枠１４の解錠が行われる。
【００８８】
樹脂ベース７１の背面における回動基端側（図８の右側）には、軸受け金具１３２が取り付けられている。軸受け金具１３２には、上下に離間させて軸受け部１３３が形成されており、これら軸受け部１３３により本体枠１３に対して裏パックユニット１５が回動可能に取り付けられている。また、樹脂ベース７１の背面には、裏パックユニット１５を本体枠１３に締結するための被締結孔１３４が設けられている。
【００８９】
樹脂ベース７１の背面には、係止金具１３５が複数設けられており、これら係止金具１３５によって上述したように樹脂ベース７１に対して遊技盤８１が取り付けられている。ここで、遊技盤８１の背面の構成を説明する。図９は遊技盤８１を後方より見た斜視図、図１０は遊技盤８１から主制御装置ユニット１６０を取り外した状態を示す背面図である。
【００９０】
遊技盤８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００９１】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００９２】
遊技盤８１の背面には、図１０に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【００９３】
遊技球回収機構について説明すると、集合板ユニット１５０には、前記一般入賞口８２、可変入賞装置８３、作動口８４の遊技盤開口部に対応して且つ下流側で１カ所に集合する回収通路１５１が形成されている。したがって、一般入賞口８２等に入賞した遊技球は何れも回収通路１５１を介して遊技盤８１の下方に集合する。遊技盤８１の下方には後述する排出通路があり、回収通路１５１により遊技盤８１の下方に集合した遊技球は排出通路内に導出される。なお、アウト口８７も同様に排出通路に通じており、何れの入賞口にも入賞しなかった遊技球もアウト口８７を介して排出通路内に導出される。
【００９４】
入賞検知機構について説明すると、集合板ユニット１５０には、遊技盤８１表側の各一般入賞口８２と対応する位置にそれぞれ入賞口スイッチ１５２ａ〜１５２ｄが設けられている。また、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。また、集合板ユニット１５０外における可変表示ユニット８６の右側には、スルーゲート８５を通過する遊技球を検知するゲートスイッチ１５５が設けられている。
【００９５】
遊技盤８１の背面には、集合板ユニット１５０を後側から覆うようにして主制御装置ユニット１６０が搭載されている。主制御装置ユニット１６０の構成について図１１を用いて説明する。図１１は主制御装置ユニット１６０の構成を示す斜視図である。
【００９６】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００９７】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【００９８】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【００９９】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【０１００】
次に、裏パックユニット１５について説明する。図１２は裏パックユニット１５の正面図、図１３は裏パックユニット１５の分解斜視図である。
【０１０１】
裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８６を囲むのに十分な大きさを有する。
【０１０２】
ベース部２１１には、その右上部に外部端子板２１３が設けられている。外部端子板２１３には、パチンコ機１０に発生した各種のエラー情報を出力するための出力端子、本体枠１３の開放時に信号出力するための出力端子、及び前扉枠１４の開放時に信号出力するための出力端子等が設けられている。そして、これらの出力端子を通じて、遊技ホール側の管理制御装置（又はホールコンピュータ）に対して枠側の状態に関する信号が出力される。
【０１０３】
ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【０１０４】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【０１０５】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【０１０６】
払出機構部２０２には、裏パック基板（電力受入部又は外部電力受入部）２２９が設置されている。裏パック基板２２９には、例えば交流２４ボルトの主電源が供給され、電源スイッチ２２９ａの切替操作により電源ＯＮ又は電源ＯＦＦとされるようになっている。
【０１０７】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、上述した回収通路１５１等から排出通路２３１に導出された遊技球は当該排出通路２３１を通ることでパチンコ機１０外部に排出される。
【０１０８】
制御装置集合ユニット２０４は、横長形状をなす取付台２４１を有し、取付台２４１に払出制御装置２４２と電源及び発射制御装置２４３（以下、電源装置２４３ともいう）とが搭載されている。これら払出制御装置２４２と電源装置２４３とは、払出制御装置２４２がパチンコ機１０後方となるように前後に重ねて配置されている。
【０１０９】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０１１０】
電源装置２４３は、基板ボックス２４６内に電源及び発射制御基板が収容されており、当該基板により、各種制御装置等で要する所定の電力が生成されて出力され、さらに遊技者による遊技球発射ハンドル４１の操作に伴う遊技球の打ち出しの制御が行われる。また、電源装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０１１１】
次に、本体枠１３（遊技機主部１２）や前扉枠１４が開放された場合に、その事実を把握するための構成について説明する。
【０１１２】
図２や図８等に示すように、本体枠１３の樹脂ベース７１には、第１監視装置２５０及び第２監視装置２９０が装着されている。第１監視装置２５０は本体枠１３の開閉先端側の上部に配置されており、この第１監視装置２５０によって前扉枠１４の開放が監視されている。一方、第２監視装置２９０は本体枠１３の下部に配置されている。詳しくは、裏パックユニット１５の閉状態で当該裏パックユニット１５の下端縁よりも下方に配置されており、パチンコ機１０の後方から視認可能となっている（図４参照）。この第２監視装置２９０により遊技機主部１２の開放が監視されている。
【０１１３】
ここで、第１監視装置２５０及び第２監視装置２９０の具体的な構成について説明する。第１監視装置２５０及び第２監視装置２９０はともに同一の構成を具備してなり、それら監視装置２５０，２９０の取り付け方向、及びそれら監視装置２５０，２９０に付随して設けられている構成のみ相違している。故に、先ず第１監視装置２５０について詳細に説明し、その後上述した相違点について説明する。図１４はパチンコ機１０の前方から見た第１監視装置２５０の分解斜視図、図１５はパチンコ機１０の後方から見た第１監視装置２５０の分解斜視図、図１６（ａ）は図８のＡ−Ａ線部分断面図、図１６（ｂ）は図８のＢ−Ｂ線部分断面図である。
【０１１４】
第１監視装置２５０は収容ケース体２５１と蓋用ケース体２８０とを備えている。これら両ケース体２５１，２８０がビス等の締結具によって固定されていることにより後述する各種構成を収容可能なハウジング２５２が形成されている。ハウジング２５２（両ケース体２５１，２８０）は、光透過性を有する透明な合成樹脂材料により形成されており、ハウジング２５２の内部が視認可能となっている。これにより、メンテナンス等による第１監視装置２５０の内部確認の容易化が図られている。このように、内部の確認を容易化することで、第１監視装置２５０自身に対して不正行為が行われ、その監視機能が阻害されている場合であっても、これを発見することが容易となっている。故に、更なる防犯性の向上に貢献を期待することができる。
【０１１５】
第１監視装置２５０は、収容ケース体２５１を前側、蓋用ケース体２８０を後側として樹脂ベース７１の上側隅部に配置されている。このように配置された状態で、ボルト等の締結具によって樹脂ベース７１の背面に固定されている。
【０１１６】
収容ケース体２５１は、天板部２５３，底板部２５４，前板部２５５，左側板部２５６及び右側板部２５７を有し、全体としてパチンコ機１０の後方に開放された略箱状に形成されている。前板部２５５は樹脂ベース７１の背面と略平行をなしている。前板部２５５には、天板部２５３との境界から上方に延びる上側延出部２５８と、底板部２５４との境界から下方に延びる下側延出部２５９とが形成されており、それら両延出部２５８，２５９が樹脂ベース７１の背面に当接している。
【０１１７】
各延出部２５８，２５９には、樹脂ベース７１に形成された円柱状のボス部７１ａが嵌まる丸孔２５８ａ，２５９ａが設けられている（図１６参照）。これら丸孔２５８ａ，２５９ａにボス部７１ａが嵌まることで第１監視装置２５０の上下及び左右方向の位置決めがなされている。
【０１１８】
また、前板部２５５の下部には前方に段差状に張り出した張出部２６０が形成されており、樹脂ベース７１には張出部２６０に対応する開口部７１ｂが形成されている。開口部７１ｂは前後方向に貫通しており、その内周は張出部２６０の外周とほぼ同一形状をなしている。張出部２６０が開口部７１ｂに嵌まることで、樹脂ベース７１と第１監視装置２５０との境界部位がクランク状をなす構成となっている。これにより、開口部７１ｂと張出部２６０の境界部位から不正具等が挿入されるといった不都合を抑制している。更に、樹脂ベース７１の前面と張出部２６０の前面とはほぼ同一面上になるように設定されている。すなわち、張出部２６０は樹脂ベース７１よりも前方に突出しない構成となっている。これにより、メンテナンス作業等の際に張出部２６０が引っ掛かることで、第１監視装置２５０が位置ずれするといった不都合が回避可能となっている。
【０１１９】
ハウジング２５２の内部（詳しくは収容ケース体２５１の内部）には、前扉枠１４の開閉状態を検知する検知装置２６５と、電力が供給されることで継続的に動作する動作機構２７５とが設置されている。
【０１２０】
検知装置２６５について詳細に説明する。検知装置２６５は、樹脂ベース７１の開口部７１ｂの後方、すなわち張出部２６０の後方に配置されている。より具体的には、収容ケース体２５１の内部における前扉枠１４の回動先端側に配置されている。検知装置２６５は、光を射出する発光素子２６６（詳しくは赤外線を発する発光ダイオード）と、発光素子２６６からの光を受ける受光素子２６７（詳しくはフォトトランジスタ）と、それら両素子２６６，２６７を収容する収容体２６８とを備えている。
【０１２１】
収容体２６８は略直方体状の本体部２６９を有し、その前面が前板部２５５と平行となるように配置されている。本体部２６９の下部には左右方向に突出する突出部２６９ａ，２６９ｂが形成されている。各突出部２６９ａ，２６９ｂは底板部２５４と平行な板状をなしている。収容ケース体２５１には、各突出部２６９ａ，２６９ｂが嵌まる第１ガイド溝２７０が形成されている。これら第１ガイド溝２７０は互いに対向するとともに前後方向に延びており、その後端部においてはパチンコ機１０の後方に開放されている。第１ガイド溝２７０の後端側から突出部２６９ａ，２６９ｂを挿入し、検知装置２６５を押し込むことで、検知装置２６５の装着がなされる。このように、突出部２６９ａ，２６９ｂが第１ガイド溝２７０に挿入されることで、突出部２６９ａ，２６９ｂの外周面と第１ガイド溝２７０の内周面とが接触する。これにより、検知装置２６５の上下方向及び左右方向の移動が規制されている。
【０１２２】
また、第１ガイド溝２７０の前部には収容体２６８が当たる当接部２７１が設けられている。当接部２７１は、収容ケース体２５１の内方に隆起しており、底板部２５４の内面に平行な上側当接面２７１ａ及び前板部２５５の内面に平行な後側当接面２７１ｂを有している。第１ガイド溝２７０に沿って検知装置２６５が押し込まれた際には、収容体２６８と後側当接面２７１ｂとが当たる。これにより、検知装置２６５の前方への移動が規制されている。このように前方への移動が規制なされた状態においては、収容ケース体２５１の前板部２５５と検知装置２６５との間に所定の隙間が確保されている。収容体２６８は、上述の如く前方，左右方向，上下方向の各方向への移動が規制された状態で、収容ケース体２５１にビス等の締結具によって固定されている。すなわち、検知装置２６５がハウジング２５２に装着された状態となっている。
【０１２３】
収容体２６８の本体部２６９には前後方向に貫通する貫通孔２６９ｃ，２６９ｄが所定の間隔を隔てた状態で左右に並設されている。それら貫通孔２６９ｃ，２６９ｄには、発光素子２６６及び受光素子２６７が発光部位及び受光部位を前方に向けた状態で嵌め込まれている。各貫通孔２６９ｃ，２６９ｄは上側当接面２７１ａ（当接部２７１）よりも上方に配置されており、当接部２７１によって各素子２７２，２７３間での光の通過が遮られることはない。例えば、発光素子２６６から発せられた光は、当接部２７１によって遮られることなく収容ケース体２５１から射出され、前扉枠１４の背面に向かって照射される。また、貫通孔２６９ｃ，２６９ｄの中心軸線は前板部２５５と直交しており、両素子２６６，２６７の中心軸線も前板部２５５と直交している。このため、発光素子２６６からの光が前板部２５５に入射することで、屈折したり反射したりしにくくなっている。なお、光の通過経路についての詳細は後述する。
【０１２４】
図２や図１６等に示すように、検知装置２６５の前方、すなわち前扉枠１４の背面側には、発光素子２６６からの光を受光素子２６７に向かって反射する光反射部材２７４が設けられている。光反射部材２７４は、前扉枠１４に形成された収容凹部１４ａに収容された状態で、ビス等の締結具によって前扉枠１４に固定されており、前扉枠１４の背面からの突出が抑えられている。光反射部材２７４は光透過性を有するガラス製のプリズムにより構成されている。具体的には図１６（ｂ）に示すように、検知装置２６５と対向するとともに光の進行方向と直交する対向面２７４ａと、光の進行方向に対して所定の角度（本実施の形態においては４５°）で傾いている第１反射面２７４ｂ及び第２反射面２７４ｃとを有している。両反射面２７４ｂ，２７４ｃは対向面２７４ａよりもパチンコ機１０における前側に設けられている。第１反射面２７４ｂは発光素子２６６の前方に配置されているとともに、第２反射面２７４ｃは受光素子２６７の前方に配置されており、両反射面２７４ｂ，２７４ｃは相対向している。すなわち、それら反射面２７４ｂ，２７４ｃは、パチンコ機１０の平面視において後方に広がる略ハ字状をなしている。
【０１２５】
以下、図１６（ｂ）に基づいて発光素子２６６から発せられた光の通過経路について説明する。なお、図１６（ｂ）においては光の通過経路の概略を１点鎖線の矢印で示している。
【０１２６】
発光素子２６６から発せられた光は、収容ケース体２５１の前板部２５５を通過し、前扉枠１４の背面に照射される。具体的には、光の大部分は光反射部材２７４の対向面２７４ａに入射する。対向面２７４ａを通過した光は、第１反射面２７４ｂによって反射されその進行方向が変わる。すなわち、第２反射面２７４ｃに向かって反射される。第２反射面に到達した光は、反射することによってその進行方向がパチンコ機１０の後方に向かうように変更される。このようにして進行方向が反転した光は、再び対向面２７４ａを通過し、前板部２５５に向かって射出される。前板部２５５を通過した光は、受光素子２６７に到達する。なお、光反射部材２７４の代わりに鏡等を用いて光の進行方向を変えることも可能である。
【０１２７】
次に、動作機構２７５について詳細に説明する。図１４〜図１６に示すように、動作機構２７５は、検知装置２６５の側方に配置されており、その主要な構成として、動作機構２７５の動力源として設けられたソレノイド２７６と、そのソレノイド２７６に挿通された動作軸２７７とを備えている。
【０１２８】
ソレノイド２７６は上下方向に延びる略円筒状をなし、その上部には収容ケース体２５１への取付部２７８が設けられている。取付部２７８は収容ケース体２５１の天板部２５３と平行な板状をなし、天板部２５３及び左側板部２５６に形成された第２ガイド溝２７９に嵌まっている。これら第２ガイド溝２７９は互いに対向するとともに前後方向に延びており、その後端部においてはパチンコ機１０の後方に開放されている。第２ガイド溝２７９の後端側から取付部２７８を挿入し、ソレノイド２７６を押し込むことで、動作機構２７５の装着がなされる。このように、取付部２７８が第２ガイド溝２７９に挿入されることで、取付部２７８の外周面と第２ガイド溝２７９の内周面とが接触する。これにより、動作機構２７５の上下方向及び左右方向の移動が規制されている。動作機構２７５をガイド溝２７９に沿って押し込むことで、取付部２７８と収容ケース体２５１の前板部２５５とが当接し、パチンコ機１０前方への移動が規制される。動作機構２７５は、このように各方向への移動が規制された状態で、ビス等の締結具によって収容ケース体２５１に固定されている。なお、本実施の形態においては、動作機構２７５の装着作業性向上のため、第２ガイド溝２７９を設ける構成としたが、これらを設けない構成としてもよい。
【０１２９】
動作軸２７７は上下方向に延びる鉄製の円柱部２７７ａを有している。その円柱部２７７ａの大部分がソレノイド２７６の内部に収容された状態となっている。円柱部２７７ａの中心軸線とソレノイド２７６の中心軸線とが重なっており、動作軸２７７はソレノイド２７６の中心軸線方向に移動可能となっている。動作軸２７７の下端部はソレノイド２７６の外部に突出しており、その下端部には板状の遮蔽部２７７ｂと、動作軸２７７から遮蔽部２７７ｂをパチンコ機１０の前方にオフセットするクランク部２７７ｃとが一体成形されている。なお、本実施の形態においては動作軸２７７の円柱部２７７ａ及び遮蔽部２７７ｂ及びクランク部２７７ｃを一体成形したが、それらを個々に成形することも可能である。例えば、円柱部２７７ａのみを鉄製とし、遮蔽部２７７ｂ及びクランク部ｃを合成樹脂製とするとよい。
【０１３０】
遮蔽部２７７ｂは、前板部２５５と略平行に形成されており、動作軸２７７の上下動に追従して、前板部２５５と平行に移動する。また、遮蔽部２７７ｂはクランク部２７７ｃによって検知装置２６５よりも前側となるように配置されており、検知装置２６５と前板部２５５との間に形成された空間によってその作動隙が確保されている。遮蔽部２７７ｂの下端部は、その下限位置において前記上側当接面２７１ａと当接する。このような当接状態では、遮蔽部２７７ｂは、パチンコ機１０の正面視において、受光素子２６７と重なる構成となっている。すなわち、受光素子２６７の前側を覆った状態となっている。一方、遮蔽部２７７ｂが上限位置にある状態では、遮蔽部２７７ｂの下端部は、受光素子２６７よりも上方となるように設定されている。すなわち、受光素子２６７の前側を覆わない状態となっている。遮蔽部２７７ｂには光を吸収する塗装（光反射率の低い塗装）が付与されており、他の光源からの光が遮蔽部２７７ｂにて反射し、受光素子２６７に到達するといった不都合が回避されている。本実施の形態においては、遮蔽部２７７ｂが受光素子２６７にのみ重なる構成としたが、発光素子２６６に重なる構成としてもよいし、受光素子２６７及び発光素子２６６の両素子に重なる構成としてもよい。
【０１３１】
図１６に示すように、動作軸２７７はソレノイド２７６に電力が供給されている状態では動作範囲の上限位置（以下、第１位置ともいう）にて保持される。詳しくは、ソレノイド２７６の出力は、動作軸２７７を重力に抗して持ち上げることができる程度に大きく設定されている。電力の供給が停止されている状態では動作軸２７７が自重で下がり、動作範囲の下限位置（以下、第２位置ともいう）にて保持される。詳しくは、遮蔽部２７７ｂが上側当接面２７１ａに当接することで、動作軸２７７は第２位置にて保持された状態となる。すなわち、動作軸２７７においては電力供給の有無により、第１位置と第２位置との両位置間でその位置の切り替えが行われる。換言すれば、動作軸２７７の位置切り替えに伴い、遮蔽部２７７ｂの位置が第１位置及び第２位置間で切り替わる。
【０１３２】
第１位置における遮蔽部２７７ｂの下端部と、第２位置における遮蔽部２７７ｂの上端部との間には所定の隙間領域が設定されている。すなわち、動作軸２７７の動作距離寸法は遮蔽部２７７ｂの軸線方向の長さ寸法よりも大きく設定されている。その隙間領域とパチンコ機１０の正面視において重なる前板部２５５（詳しくは張出部２６０）の一部には、内外（すなわちパチンコ機１０の前後方向）に貫通する挿通孔２６０ａが形成されている。前扉枠１４の背面には、その挿通孔２６０ａに挿通可能な突起１４ｂが設けられている。突起１４ｂは前扉枠１４と一体成形されており、パチンコ機１０の後方に延びている。突起１４ｂの先端は遮蔽部２７７ｂの後端部よりも若干後方に位置している。上述の如く突起１４ｂは前扉枠１４に設けられているため、前扉枠１４の回動に伴って移動する。すなわち、突起１４ｂは、前扉枠１４が本体枠１３に閉じた状態では挿通孔２６０ａに挿通された状態となり、前扉枠１４が所定量以上開放された状態では挿通孔２６０ａに挿通されていない状態となる。
【０１３３】
突起１４ｂが挿通孔２６０ａに挿通された状態、すなわち前扉枠１４が閉じている状態では、遮蔽部２７７ｂと突起１４ｂとが当たることで、遮蔽部２７７ｂの第１位置及び第２位置の両位置間での移動が規制される。詳しくは、遮蔽部２７７ｂが第１位置にある状態で、突起１４ｂが挿通孔２６０ａ挿入されている場合、遮蔽部２７７ｂの第２位置への移動は制限される。また、遮蔽部２７７ｂが第２位置にある状態で、突起１４ｂが挿入されている場合、遮蔽部２７７ｂの第１位置への移動が制限される。
【０１３４】
なお、上述の如く前扉枠１４は本体枠１３に対して回動可能に設けられている。かかる場合、前扉枠１４の鉤金具６３と鉤受け金具１３２とが係止状態となる前の段階では、突起１４ｂと遮蔽部２７７ｂ及び挿通孔２６０ａとの相対位置がばらつく可能性がある。このため、それら突起１４ｂ等が引っ掛かることで、前扉枠１４の閉作業が妨げられることが懸念される。しかしながら、本実施の形態においては、突起１４ｂは両位置にある状態での遮蔽部２７７ｂと所定の隙間を有しているとともに、挿通孔２６０ａはパチンコ機１０の前方に拡大するテーパ状をなしている。これにより、突起１４ｂ挿入時の引っ掛かりを抑制し、前扉枠１４閉時の作業性を担保している。
【０１３５】
次に突起１４ｂと遮蔽部２７７ｂとの相対関係について詳細に説明する。前扉枠１４が閉じている状態において、突起１４ｂの後端は遮蔽部２７７ｂの後端部よりも若干後方に突出している。このため、前扉枠１４の前後方向位置が若干ばらついたとしても、突起１４ｂの機能が担保される構成となっている。前扉枠１４を開放する際には、所定の角度以上に開放することで、突起１４ｂが遮蔽部２７７ｂとパチンコ機１０の平面視で重ならない位置まで移動する、これにより遮蔽部２７７ｂの移動制限が解除される。
【０１３６】
本体枠１３の周縁部にはパチンコ機１０の前方、すなわち前扉枠１４に向かって延びる開口フランジ１３ａが一体成形されている。この開口フランジ１３ａによって、本体枠１３の周縁部と前扉枠１４の周縁部とがパチンコ機１０の側面視及び平面視において重なる構成となっている。このように両者が重なる構成とすることで、本体枠１３と前扉枠１４との境界部位から不正具等が挿入されるといった不都合を抑制している。上述した突起１４ｂと遮蔽部２７７ｂとの重なり量は、開口フランジ１３ａと前扉枠１４との重なり量よりも小さく設定されている。より具体的には、遮蔽部２７７ｂの前面から突起１４ｂの後端部までの前後方向の距離寸法は、開口フランジ１３ａの前端縁から前扉枠１４の後端縁までの前後方向の距離寸法よりも、小さく設定されている。このため、前扉枠１４が回動し、突起１４ｂと遮蔽部２７７ｂとが重ならない状態に移行した際には、開口フランジ１３ａによって本体枠１３と前扉枠１４との境界部位が露出しない。すなわち、本体枠１３と前扉枠１４との境界部位から本体枠１３の前面が視認可能となった際には既に、突起１４ｂによる遮蔽部２７７ｂの移動制限が解除された状態となるように構成されている。
【０１３７】
次に、前記蓋要ケース体２８０の主要な構成について説明する。蓋用ケース体２８０は、天板部２８１，底板部２８２，背板部２８３，左側板部２８４及び右側板部２８５を有し、全体としてパチンコ機１０の前方に開放された略箱状に形成されている。蓋用ケース体２８０の開放された部位に収容ケース体２５１の後端開口縁を収容している。蓋用ケース体２８０の内部には、検知装置２６５等と図示せぬハーネスによって電気的に接続された中継基板２８６が配置されている。中継基板２８６は背板部２８３と平行な略板状をなし、背板部２８３の内面にビス等の締結具によって固定されている。
【０１３８】
中継基板２８６の後方、すなわち背板部２８３における中継基板２８６と対向する部位には内外に貫通する連通孔２８７が形成されている。この連通孔２８７の後方にはコネクタ２８８が配置されている。すなわち、連通孔２８７を挟んで中継基板２８６とコネクタ２８８とが対向して設けられており、それら中継基板２８６及びコネクタ２８８が図示せぬハーネス等で接続されている。コネクタ２８８はその挿入口をパチンコ機１０の後方に向けた状態でビス等の締結具によって背板部２８３の背面に固定されている。このコネクタ２８８を介して図示せぬハーネスにより第１監視装置２５０と主制御装置１６２とが電気的に接続されている。なお、本実施の形態においては上述の如く蓋用ケース体２８０が光透過性を有する構成とすることで、第１監視装置２５０に対する不正等の確認を容易なものとしている。しかしながら、蓋用ケース体２８０が、光透過性を有さない構成とすることも可能である。かかる場合、蓋用ケース体２８０を、例えば不透明性を有する合成樹脂材料や、アルミ等の軽金属材料によって形成するとよい。
【０１３９】
以下、第１監視装置２５０による、前扉枠１４の開放検知について図１７に基づいて説明する。図１７（ａ）は電力供給状態における前扉枠１４の閉状態（通常状態）を示し、図１７（ｂ）は電力供給状態における前扉枠１４の開放状態を示し、図１７（ｃ）は電力供給が停止された状態（待機状態）を示し、図１７（ｄ）は電力供給停止中の前扉枠１４の開放状態を示し、図１７（ｅ）は電力供給停止中に前扉枠１４が開放された後再び閉じられた状態を示し、図１７（ｆ）は電力供給停止中に前扉枠１４が開閉された後に電力の供給が開始された状態を示す。
【０１４０】
先ず初めに、パチンコ機１０に電力が供給されている状態での、前扉枠１４の開放検知について説明する。前扉枠１４が開放される際には、図１７（ａ）→図１７（ｂ）→図１７（ａ）の順に作業が行なわれる。
【０１４１】
図１７（ａ）に示すように、第１監視装置２５０に電力が供給されている状態、すなわちソレノイド２７６が通電されている状態においては、ソレノイド２７６が励磁される。これにより、動作軸２７７が第１位置に保持された状態となっている。かかる状態においては、受光素子２６７の前方に遮蔽部２７７ｂが存在せず、発光素子２６６から発せられた光は光反射部材２７４を介して受光素子２６７に到達する。受光素子２６７に光が到達することで受光信号が中継基板２８６に出力される、この受光信号を読み取ることで前扉枠１４が閉じた状態にあることを検出している。
【０１４２】
第１監視装置２５０に電力が供給されている状態で前扉枠１４を開放すると、両素子２６６，２６７と光反射部材２７４との相対位置が変化する。かかる場合、発光素子２６６から射出された光は光反射部材２７４に到達しなくなるか、仮に光反射部材２７４に到達したとしても、その反射光が受光素子２６７以外の部位に向かって射出される。このため、発光素子２６６からの光は受光素子２６７に届かなくなる。故に、所定の受光信号が出力されなくなり、受光信号の変化を読み取ることで前扉枠１４が閉じた状態にあることを検出することができる。
【０１４３】
このように、電力が供給されている状態における前扉枠１４の開放を検知可能とすることでホール営業中に行なわれる前扉枠１４の不正開放を抑制することができる。故に、パチンコ機１０に対する不正の抑制に貢献することができる。
【０１４４】
閉店等の際に第１監視装置２５０に対する電力の供給が停止すると、ソレノイド２７６への電力の供給が止まり、その励磁状態が解除される。かかる場合、動作軸２７７（詳しくは遮蔽部２７７ｂ）は自重により下方に移動し、突起１４ｂに当接する。遮蔽部２７７ｂは突起１４ｂに当接することで、その下方への移動が制限された状態となる。すなわち、第２位置への移動が妨げられる。この状態のまま、再び電力の供給が開始されると、ソレノイド２７６が励磁状態となり、自重作用に勝ることで動作軸２７７は上方へ持ち上げられる。かかる場合、発光素子２６６からの光は受光素子２６７に到達可能であるため、前扉枠１４が閉じた状態にあることを検出することができる。すなわち、図１７（ａ）→図１７（ｃ）→図１７（ａ）の如く状態が推移することで、電力供給が停止している間に前扉枠１４の開放が行なわれなかったことを検出可能となっている。
【０１４５】
電力の供給が停止している間に前扉枠１４が開閉された場合について説明する。前扉枠１４の開閉に伴って突起１４ｂと遮蔽部２７７ｂとの相対位置が、図１７（ｃ）→図１７（ｄ）→図１７（ｅ）の順に変化する。
【０１４６】
前扉枠１４の開放に伴い突起１４ｂが第１監視装置２５０から離間することで、遮蔽部２７７ｂは支えを失い自重により下方（すなわち第２位置）へと移動する。遮蔽部２７７ｂは下方へ移動した際に上側当接面２７１ａに当たり、それ以上の下向への移動が制限される。かかる状態で前扉枠１４が再び閉じられると、突起１４ｂが元の位置に復帰し遮蔽部２７７ｂの上方への移動を制限した状態となる。この状態においては、遮蔽部２７７ｂは受光素子２６７の前方に位置しているとともに、突起１４ｂ及び上側当接面２７１ａによってその上下方向の移動が規制された状態となっている。このように遮蔽部２７７ｂを第２位置から移動不能とすることで、前扉枠１４の開放が行われたという事実を機械的に保存することができる。
【０１４７】
遮蔽部２７７ｂの第２位置からの移動が規制されている状態で電源の供給が開始されると、ソレノイド２７６が励磁され、遮蔽部２７７ｂが上方（すなわち第１位置）に移動しようとする。しかしながら、遮蔽部２７７ｂは突起１４ｂに当たり、その移動が妨げられる。すなわち、遮蔽部２７７ｂによって受光素子２６７が覆われたままの状態が継続される。電力の供給が開始されることで、発光素子２６６が発光を開始する。発光素子２６６から発せられた光は、光反射部材２７４を介して受光素子２６７に向かって照射される。しかしながら、受光素子２６７の前方に位置している遮蔽部２７７ｂによって、受光素子２６７への光の到達が遮られる。このため、受光信号の出力が抑えられ、前扉枠１４が開放された状態にあると検出される。実際には、前扉枠１４は閉じた状態であるが、電源遮断時に開放されたという事実を検出することができる。これら主制御装置１６２における監視処理についての詳細は後述する。
【０１４８】
上述の如く、前扉枠１４の電力遮断時の開放を検知した状態において、再び前扉枠１４を開放することで、突起１４ｂが第１監視装置２５０から離間し、遮蔽部２７７ｂが第１位置に移動する。すなわち、遮蔽部２７７ｂの移動制限が解除される。このように図１７（ｆ）→図１７（ｂ）→図１７（ａ）の順に前扉枠１４を操作することで、不正開放検知状態が解除され通常の状態に復帰する。前扉枠１４の開放により不正開放検知状態がリセットされるため、リセットスイッチ等を設ける必要が無く構成の簡略化に貢献できる。また、前扉枠１４の開放は所定の操作（鍵）によっておこなわれるため、不正開放検知状態が不正に解除されるといった不都合を抑制できる。
【０１４９】
第２監視装置２９０も第１監視装置２５０と同様に、収容ケース体２５１，蓋用ケース体２８０，検知装置２６５，動作機構２７５，中継基板２８６及びコネクタ２８８を備えている。第２監視装置２９０に対応する突起及び光反射部材は、本体枠１３に設けられている。以下、図１８に基づいて第１監視装置２５０との相違している部分について具体的に説明する。図１８は図４のＣ―Ｃ線部分断面図である。
【０１５０】
第１監視装置２５０の挿通孔２６０ａがパチンコ機１０の前方に露出しているのに対して、第２監視装置２９０の挿通孔２６０ａはパチンコ機１０の後方に露出している。具体的には、第２監視装置２９０は、樹脂ベース７１に形成された開口部７１ｃに収容ケース体２５１を前側、蓋用ケース体２８０を後側として嵌め込まれた状態で固定されている。かかる状態においては、収容ケース体２５１の前板部２５５が樹脂ベース７１の背面から後方に突出した状態となっている。すなわち、前板部２５５の挿通孔２６０ａが後方に開放された状態となっている。外枠１１の下部には前板部２５５と対向する基材２９５が設けられている。基材２９５は板状をなし、外枠１１にビス等の締結具によって固定されている。基材２９５の前面には、挿通孔２６０ａに挿通可能な突起２９６が形成されている。突起２９６の下方、すなわち検知装置２６５の後方には、パチンコ機１０の後方に凹む凹部２９７が形成されている。この凹部２９７に光反射部材２９８が収容され、ビス等の締結具によって固定されている。
【０１５１】
第２監視装置２９０においては、遊技機主部１２が外枠１１に対して回動することに伴って第２監視装置２９０自身が移動する。すなわち、突起２９６及び光反射部材２９８の位置は固定されており、第２監視装置２９０が移動することで、両者の相対位置が変化する構成となっている。第２監視装置２９０は、第１監視装置２５０と同様に、突起２９６及び光反射部材２９８との相対位置が変化することで、遊技機主部１２の開放状態を検知可能となっている。なお、その動作態様については、図１７に示す第１監視装置２５０の動作態様と同様であるため、説明を省略する。
【０１５２】
次に、パチンコ機１０の電気的構成について、図１９のブロック図に基づいて説明する。図１９では、電力の供給ラインを二重線矢印で示し、信号ラインを実線矢印で示す。
【０１５３】
主制御装置１６２に設けられた主制御基板３０１には、主制御回路３０２と停電監視回路３０３（電断監視回路）とが内蔵されている。主制御回路３０２には、ＣＰＵ３１１が搭載されている。
【０１５４】
ＣＰＵ３１１には、当該ＣＰＵ３１１により実行される各種の制御プログラムや固定値データを記憶したＲＯＭ３１２（不揮発性情報記憶手段）と、そのＲＯＭ３１２内に記憶される制御プログラムの実行に際して各種のデータ等を一時的に記憶するためのメモリであるＲＡＭ３１３（揮発性情報記憶手段）と、割込回路やタイマ回路、データ入出力回路などの各種回路が内蔵されている。なお、ＣＰＵ３１１、ＲＯＭ３１２及びＲＡＭ３１３がそれぞれ個別に１チップ化された構成としてもよい。これは、他の制御装置のＣＰＵにおいても同様である。
【０１５５】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０１５６】
ＣＰＵ３１１には、入力ポート及び出力ポートがそれぞれ設けられている。ＣＰＵ３１１の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、ＣＰＵ３１１（主制御回路３０２）には停電監視回路３０３を介して電力が供給される。
【０１５７】
一方、ＣＰＵ３１１の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０１５８】
停電監視回路３０３は、主制御回路３０２と電源及び発射制御基板３２１とを中継し、また電源及び発射制御基板３２１から出力される最大電圧である直流安定２４ボルトの電圧を監視する。そして、この電圧が２２ボルト未満になると電源遮断の発生と判断し、主制御回路３０２に対して停電信号を送信する。主制御回路３０２では、この停電信号の入力を確認することにより、その確認結果に基づいて後述する停電時処理（電断時処理）を実行する。
【０１５９】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０１６０】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０１６１】
払出制御基板３２２のＣＰＵ３３１には、入出力ポートが設けられている。ＣＰＵ３３１の入力側には、主制御回路３０２、電源及び発射制御基板３２１、及び裏パック基板２２９が接続されている。また、ＣＰＵ３３１の出力側には、主制御回路３０２及び裏パック基板２２９が接続されている。
【０１６２】
電源及び発射制御基板３２１は、電源部３２１ａと発射制御部３２１ｂとを備えている。電源部３２１ａは、例えば、遊技ホール等における商用電源（外部電源）に接続されている。そして、その商用電源から供給される外部電力に基づいて主制御回路３０２や払出制御基板３２２等に対して各々に必要な動作電力を生成するとともに、その生成した動作電力を二重線矢印で示す経路を通じて主制御回路３０２や払出制御基板３２２等に対して供給する。その概要としては、電源部３２１ａは、裏パック接続基板２２９を介して供給される交流２４ボルト電源を取り込み、各種スイッチやモータ等を駆動するための＋１２Ｖ電力、ロジック用の＋５Ｖ電力などを生成し、これら＋１２Ｖ電力、＋５Ｖ電力を主制御回路３０２や払出制御基板３２２等に対して供給する。
【０１６３】
発射制御部３２１ｂは、遊技者による遊技球発射ハンドル４１の操作にしたがって遊技球発射機構１１０の発射制御を担うものであり、遊技球発射機構１１０は所定の発射条件が整っている場合に駆動される。
【０１６４】
また、電源及び発射制御基板３２１には、電断時用電源手段としてデータ記憶保持用コンデンサ３２１ｃが搭載されている。データ記憶保持用コンデンサ３２１ｃには、電源部３２１ａが接続されており、パチンコ機１０の電源がＯＮ状態の場合（外部電源からの電力供給が行われている場合）には充電される。また、データ記憶保持用コンデンサ３２１ｃは主制御回路３０２におけるＣＰＵ３１１のＶＢＢ端子に接続されており、パチンコ機１０の電源がＯＦＦ状態の場合や商用電源における停電発生時等といった電源遮断状態（外部電源からの電力供給が遮断されている場合）では、データ記憶保持用コンデンサ３２１ｃから放電されＲＡＭ３１３に対してデータ記憶保持用電力が供給される。よって、かかる状況であっても、データ記憶保持用コンデンサ３２１ｃからデータ記憶保持用電力が供給されている間はＲＡＭ３１３に記憶されたデータが消去されることなく保持される。
【０１６５】
ちなみに、データ記憶保持用コンデンサ３２１ｃに充電された電力は主制御回路３０２のＲＡＭ３１３やその他のＲＡＭにおいてデータを記憶保持するために用いられ、電動アクチュエータなどの機器を動作させるためには用いられない。また、データ記憶保持用コンデンサ３２１ｃの容量は比較的大きく確保されており、電源遮断前にＲＡＭ３１３に記憶されていた情報は所定の期間内（例えば、１日や２日）保持される。また、電断時用電源手段は、データ記憶保持用コンデンサに限定されることはなく、バッテリや非充電式電池などであってもよい。非充電式電池の場合、パチンコ機１０の電源がＯＮ状態の際に電断時用電源手段への蓄電を行う必要はないが、定期的に交換する必要が生じる。
【０１６６】
また、電源及び発射制御基板３２１には、上記データ記憶保持用コンデンサ３２１ｃとは異なる停電時処理用コンデンサが設けられている。電源及び発射制御基板３２１では、直流安定２４ボルトの電源が２２ボルト未満になった後においても、停電時処理用コンデンサから放電することにより、後述する停電時処理の実行に十分な時間の間、制御系の駆動電源である５ボルトの出力を正常値に維持するように構成されている。これにより、主制御回路３０２などは、停電時処理を正常に実行し完了することができる。
【０１６７】
音声ランプ制御基板３２４は、各種ランプ部２３〜２５やスピーカ部２６、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０１６８】
音声ランプ制御基板３２４のＣＰＵ３４１には入出力ポートが設けられている。ＣＰＵ３４１の入力側には中継端子板３２３に中継されて主制御回路３０２が接続されており、主制御回路３０２から出力される各種コマンドに基づいて、各種ランプ部２３〜２５、スピーカ部２６、及び表示制御装置３２５を制御する。表示制御装置３２５は、音声ランプ制御基板３２４から入力する表示コマンドに基づいて図柄表示装置９１を制御する。
【０１６９】
検知装置２６５及び動作機構２７５は中継基板２８６を介して主制御基板３０１に接続されている。検知装置２６５及び動作機構２７５は主制御基板３０１から電力の供給を受けることで作動する。検知装置２６５においては特に電力供給を受けることで生じる信号（受光信号）を主制御基板３０１にフィードバックする。
【０１７０】
次に、主制御装置１６２のＣＰＵ３１１により実行される各制御処理を図２０〜図２３のフローチャート等を参照しながら説明する。かかるＣＰＵ３１１の処理としては大別して、電源投入に伴い起動されるメイン処理と、定期的に（本実施形態では２ｍｓｅｃ周期で）起動されるタイマ割込み処理と、ＮＭＩ端子（ノンマスカブル端子）への停電信号の入力により起動されるＮＭＩ割込み処理とがあり、説明の便宜上、はじめにＮＭＩ割込み処理とタイマ割込み処理とを説明し、その後メイン処理を説明する。
【０１７１】
図２０は、ＮＭＩ割込み処理であり、当該処理は、停電の発生等によるパチンコ機１０の電源遮断時に実行される。すなわち、停電の発生等によりパチンコ機１０の電源が遮断されると、停電信号が電源監視回路３０３からＣＰＵ３１１のＮＭＩ端子に出力され、ＣＰＵ３１１は実行中の制御を中断してＮＭＩ割込み処理を開始する。ＮＭＩ割込み処理では、ステップＳ１０１にてＲＡＭ３１３に設けられた停電フラグ格納エリアに停電フラグをセットし、本処理を終了する。その後、後述する通常処理にて停電フラグがセットされていることが確認されることで、停電時処理が実行される。
【０１７２】
次に、タイマ割込み処理について図２１のフローチャートを用いて説明する。
【０１７３】
ステップＳ２０１では、各種スイッチや払出制御基板３２２などからの信号読み込み処理を実行する。その後、ステップＳ２０２にて前扉枠開放監視処理を実行するとともに、ステップＳ２０３にて本体枠開放監視処理を実行する。前扉枠開放監視処理では、第１監視装置２５０からの入力信号に基づいて、外部電源からの電力供給が行われている状況における前扉枠１４の開放の監視に関する処理を実行する。また、本体枠開放監視処理では、第２監視装置２９０からの入力信号に基づいて、外部電源からの電力供給が行われている状況における遊技機主部１２の開放の監視に関する処理を実行する。その後、ステップＳ２０４にて始動入賞処理を実行する。なお、各監視処理についての詳細は後述する。
【０１７４】
始動入賞処理では、作動口スイッチ１５４から入力した信号に基づいて、遊技球が作動口８４に入賞したか否かを判定する。そして、遊技球が作動口８４に入賞している場合には、第１特定ランプ部９３及び図柄表示装置９１の作動保留球数が上限値未満であることを条件として、その入賞に対して大当たりを発生させるか否かの指標となるカウンタ値のＲＡＭ３１３への格納処理を実行する。当該カウンタ値が大当たりの発生に対応した値である場合には、その入賞に対応した遊技回において大当たりが発生することとなる。つまり、始動入賞処理において、大当たりといった特別遊技状態への移行抽選機能（移行判定手段）が果たされる。
【０１７５】
始動入賞処理の後、ＣＰＵ３１１は本タイマ割込み処理を一旦終了する。なお、タイマ割込み処理において、大当たりを発生させるか否かの指標となるカウンタ値を更新する処理なども実行するようにしてもよい。
【０１７６】
次に、電源投入時のリセットに伴い起動されるメイン処理について、図２２のフローチャートを用いて説明する。
【０１７７】
先ずステップＳ３０１では、電源投入に伴う初期設定処理を実行する。具体的には、従側の制御基板（払出制御基板３２２等）が動作可能な状態になるのを待つために例えば１秒程度、ウェイト処理を実行する。続くステップＳ３０２では、ＲＡＭ３１３のアクセスを許可する。
【０１７８】
その後、ステップＳ３０３では、電源及び発射制御装置２４３に設けたＲＡＭ消去スイッチ２４７がオンされているか否かを判定し、続くステップＳ３０４ではＲＡＭ３１３の停電フラグ格納バッファに停電フラグが格納されているか否かを判定する。また、ステップＳ３０５ではＲＡＭ判定値を算出し、続くステップＳ３０６では、そのＲＡＭ判定値が電源遮断時に保存したＲＡＭ判定値と一致するか否か、すなわち記憶保持されたデータの有効性を判定する。ＲＡＭ判定値は、例えばＲＡＭ３１３の作業領域アドレスにおけるチェックサム値である。なお、ＲＡＭ３１３の所定のエリアに書き込まれたキーワードが正しく保存されているか否かにより記憶保持されたデータの有効性を判断することも可能である。
【０１７９】
上述したように、本パチンコ機１０では、例えばホールの営業開始時など、電源投入時にＲＡＭデータを初期化する場合にはＲＡＭ消去スイッチ２４７を押しながら電源が投入される。従って、ＲＡＭ消去スイッチ２４７が押されていれば、ステップＳ３０７〜Ｓ３１０の処理に移行する。また、電源遮断の発生情報が設定されていない場合や、ＲＡＭ判定値（チェックサム値等）により記憶保持されたデータの異常が確認された場合も同様にステップＳ３０７〜Ｓ３１０の処理に移行する。
【０１８０】
ステップＳ３０７では、音声ランプ制御装置１４３に音声ランプ初期化コマンドを出力する。これにより、ＲＡＭデータの初期化やＲＡＭ判定値により記憶保持されたデータの異常等が報知される。続くステップＳ３０８では、従側の制御基板となる払出制御基板３２２等を初期化するために、払出初期化コマンド等を出力する。続くステップＳ３０９ではＲＡＭ３１３の使用領域を０にクリアし、ステップＳ３１０ではＲＡＭ３１３の初期化処理を実行する。その後、ステップＳ３１４〜Ｓ３１８及びＳ３１１を経て、後述する通常処理に移行する。
【０１８１】
一方、ＲＡＭ消去スイッチ２４７が押されていない場合には、停電フラグが格納されていること、及びＲＡＭ判定値（チェックサム値等）が正常であることを条件に、ステップＳ３１２に進む。ステップＳ３１２では、停電フラグ格納バッファに格納されている停電フラグをクリアする。続くステップＳ３１３では、従側の制御基板を電源遮断前の遊技状態に復帰させるための復電コマンドを出力する。その後、ステップＳ３１４〜ステップＳ３１７の復電時用開放監視処理を実行する。当該復電時用開放監視処理については後に詳細に説明する。その後、ステップＳ３１１にて割込み許可を設定し、後述する通常処理に移行する。これにより、電源遮断前の状態に復帰する。
【０１８２】
次に、通常処理について、図２３のフローチャートを用いて説明する。この通常処理では遊技の主要な処理が実行される。
【０１８３】
通常処理において、ステップＳ４０１では、前回の処理で更新されたコマンド等の出力データを従側の各制御基板に出力する。具体的には、後述するコマンド設定処理にてセットされたコマンドを払出制御基板３２２等に対して出力する。また、図柄表示装置９１による第１図柄の変動表示に際して停止図柄コマンド、変動態様コマンド等を音声ランプ制御装置１４３に出力する。
【０１８４】
続くステップＳ４０２では、第１特定ランプ部９３に表示される色の切り替えを行うための第１特定ランプ部制御処理を実行する。第１特定ランプ部制御処理では、大当たり判定や第１特定ランプ部９３に配設されたＬＥＤランプの光源スイッチのオンオフ制御などが行われる。そして、第１特定ランプ制御処理では、始動入賞処理にて格納されたカウンタ値に基づいて大当たりを発生させると判定した場合、遊技状態を大当たり状態に移行させる。つまり、第１特定ランプ制御処理において、特別遊技状態への移行機能（移行手段）が果たされる。なお、第１特定ランプ部制御処理において、図柄表示装置９１による第１図柄の変動表示の設定も行われる。
【０１８５】
第１特定ランプ部制御処理の後は、ステップＳ４０３にて大入賞口開閉処理を実行する。大入賞口開閉処理では、大当たり状態である場合において可変入賞装置８３の大入賞口を開放又は閉鎖する。すなわち、大当たり状態のラウンド毎に大入賞口を開放し、大入賞口の最大開放時間が経過したか、又は大入賞口に遊技球が規定数だけ入賞したかを判定する。この規定数だけ入賞したか否かの判定は、上述した大入賞口用カウンタを確認することにより行われる。そして、これら何れかの条件が成立すると大入賞口を閉鎖する。つまり、大入賞口開閉処理において、特別遊技状態の進行機能（進行手段）が果たされる。
【０１８６】
その後、ステップＳ４０４では、第２特定ランプ部９４に表示される色の切り替え処理を行うための第２特定ランプ部制御処理を実行する。第２特定ランプ制御処理では、ゲート保留球数が１以上であることを条件に第２特定ランプ部９４における表示色の切り換えを開始する。この際、表示色の切り換え時間も設定する。そして、作動口８４に付随する電動役物を所定時間開放する場合には、第２特定ランプ部９４において所定の色の停止表示が行われる。
【０１８７】
ステップＳ４０４の後は、ステップＳ４０５にて、遊技球発射制御処理を実行する。遊技球発射制御処理では、電源及び発射制御基板３２１の発射制御部３２１ｂから発射許可信号を入力していることを条件として、所定期間（例えば、０．６ｓｅｃ）に１回、遊技球発射機構１１０のソレノイド１１１を励磁する。これにより、発射レール１１２上にある遊技球が遊技領域に向けて打ち出される。ちなみに、発射許可信号は、ＣＰＵ３１１における入力ポート３１１以外の入力ポートに入力されており、当該遊技球発射制御処理にてその入力ポートに発射許可信号があるか否かを確認する。
【０１８８】
続くステップＳ４０６では、ＲＡＭ３１３内に設けられた停電フラグ格納バッファに停電フラグが格納されているか否かを判定する。停電フラグが格納されていない場合は、繰り返し実行される複数の処理の最後の処理が終了したこととなるので、ステップＳ４０７にて次の通常処理の実行タイミングに至ったか否か、すなわち前回の通常処理の開始から所定時間（本実施形態では４ｍｓｅｃ）が経過したか否かを判定する。所定時間が経過していない場合には、ステップＳ４０６に戻り、所定時間が経過している場合には、ステップＳ４０１に戻る。
【０１８９】
一方、ステップＳ４０６にて、停電フラグが格納されている場合は、電源遮断が発生したことになるので、ステップＳ４０８以降の停電時処理を実行する。つまり、ステップＳ４０８では、タイマ割込み処理の発生を禁止する。続くステップＳ４０９では、電断時更新処理を実行する。この電断時更新処理においては、遊技状態等の各種情報がＲＡＭ３１３に格納される。その後、ステップＳ４１０にて電源が遮断されたことを示す停電コマンドを他の制御基板に対して出力する。そして、ステップＳ４１１にてＲＡＭ判定値を算出、保存し、ステップＳ４１２にてＲＡＭ３１３のアクセスを禁止した後に、電源が完全に遮断して処理が実行できなくなるまで無限ループを継続する。なお、電源が完全に遮断された後も、電源及び発射制御基板３２１のデータ記憶保持用コンデンサ３２１ｃからデータ記憶保持用電力が供給されるため、電源遮断前にＲＡＭ３１３に記憶されていた情報はそのままの状態で所定の期間内（例えば、１日や２日）保持される。
【０１９０】
次に、前扉枠１４及び遊技機主部１２の開放の監視に関する電気的構成について、図２４のブロック図に基づいて説明する。
【０１９１】
主制御装置１６２（詳しくは主制御基板３０１）には、第１監視装置２５０及び第２監視装置２９０が電気的に接続されている。主制御装置１６２のＣＰＵ３１１では、第１監視装置２５０及び第２監視装置２９０から入力した信号に基づいて、各監視装置２５０，２９０の検知状態を把握する。すなわち、ＣＰＵ３１１では、各監視装置２５０，２９０から入力する検知状態の情報に基づいて、電源投入中及び電源遮断中に前扉枠１４及び遊技機主部１２の開放が行われたか否かを判定し、その判定結果に基づいて特定出力処理を実行する。
【０１９２】
次に、前扉枠１４及び遊技機主部１２の開放に関して、主制御装置１６２のＣＰＵ３１１により実行される各制御処理を説明する。
【０１９３】
先ず、タイマ割込み処理（図２１）にて実行される処理について説明する。
【０１９４】
タイマ割込み処理におけるステップＳ２０１の信号読み込み処理において、第１監視装置２５０及び第２監視装置２９０から入力した信号（受光信号）の読み込みが行われる。この読み込まれた信号の情報は、ＣＰＵ３１１のレジスタに記憶保持される。この場合、ＣＰＵ３１１には第１レジスタと第２レジスタとが少なくとも設けられており、第１監視装置２５０の信号の情報は第１レジスタに記憶保持され、第２監視装置２９０の信号の情報は第２レジスタに記憶保持される。これは、ＣＰＵ３１１のレジスタに関する以下の説明においても同様である。続くステップＳ２０２では、外部電源からの電力供給が行われている状況における第１監視装置２５０を介した前扉枠１４の監視処理として前扉枠開放監視処理を実行する。
【０１９５】
ここで、前扉枠開放監視処理について図２５のフローチャートを用いて説明する。
【０１９６】
前扉枠開放監視処理では、先ずステップＳ５０１にて比較処理を実行する。比較処理では、上記信号読み込み処理にてＣＰＵ３１１のレジスタに記憶した検知状態の情報（受光信号）と、ＲＯＭ３１２に格納されている判定基準値とを比較する。続くステップＳ５０２では比較処理にて比較した信号の値が判定基準値を上回っているか否かを判定する。その結果、信号の値が判定基準値以上の場合には、そのまま本前扉枠開放監視処理を終了する。
【０１９７】
一方、信号の値が判定基準値よりも小さい場合には、前扉枠１４が本体枠１３に対して開放されたことを意味する。このように信号の値が判定基準値に満たない場合には、外部電源から電力供給が行われている状況で前扉枠１４が本体枠１３に対して開放操作されたことを報知すべく、ステップＳ５０３にて通常時用報知処理を実行する。
【０１９８】
通常時用報知処理では、通常時報知用コマンドをセットする。このセットされた通常時用報知コマンドは通常処理（図２３）の外部出力処理にて音声ランプ制御装置１４３に出力される。音声ランプ制御装置１４３では、スピーカ部２６から報知音を出力させ、エラー表示ランプ部２４を点灯させ、さらに図柄表示装置９１にて報知表示を行わせる。音声ランプ制御装置１４３では、予め定められた報知時間（報知期間）だけ上記各種報知を継続させた後にそれら各種報知を停止させる。この報知時間としては例えば１０ｓｅｃなどが考えられる。
【０１９９】
また、通常時用報知処理では、遊技ホールに設けられたホールコンピュータに外部端子板２１３を介して通常時報知用信号を出力する。この場合、ホールコンピュータでは通常時報知用信号をパチンコ機１０から入力した日時やパチンコ機１０の台番号といった識別情報を履歴として記憶する処理や、遊技ホールに設けられた監視カメラを対象となるパチンコ機１０に向けるといった処理を実行する。
【０２００】
外部電源から電力供給が行われている状況においては、前扉枠１４が閉鎖されたタイミングではなく、前扉枠１４が開放されたタイミングで上記のような通常時用報知処理が実行されれば、遊技ホールの管理者等に対して前扉枠１４の不正開放に対処させることが可能である。
【０２０１】
なお、通常時用報知処理は、上記のものに限定されることはなく、通常時報知用コマンド又は通常時報知用信号のいずれか一方のみを出力する構成としてもよい。また、通常時報知用コマンドの出力に基づく処理として、スピーカ部２６からの報知音の出力、エラー表示ランプ部２４の点灯、又は図柄表示装置９１での報知表示のうち一部のみを実行する構成としてもよい。
【０２０２】
ステップＳ５０３にて通常時用報知処理を実行した後、本前扉枠開放監視処理を終了する。
【０２０３】
タイマ割込み処理（図２１）の説明に戻り、ステップＳ２０２にて前扉枠開放監視処理を実行した後は、ステップＳ２０３にて、外部電源からの電力供給が行われている状況における第２監視装置２９０を介した遊技機主部１２の監視処理として本体枠開放監視処理を実行する。
【０２０４】
本体枠開放監視処理では、信号読み込み処理にて把握した第２監視装置２９０の検知状態の情報（受光信号）が、ＲＯＭ３１２に格納されている判定基準値よりも小さい場合に、上記通常時用報知処理を実行するとともに検知状態の情報の更新を実行する。この具体的な処理構成については、前扉枠開放監視処理と同様であるため、ここでは説明を省略する。
【０２０５】
なお、前扉枠開放監視処理における通常時用報知処理と本体枠開放監視処理における通常時用報知処理とで、通常時報知用コマンド又は通常時報知用信号の情報形態を異ならせてもよい。この場合、前扉枠１４が開放された場合と遊技機主部１２が開放された場合とで、パチンコ機１０自身又はホールコンピュータにおいて報知の態様を異ならせることができる。
【０２０６】
ステップＳ２０３にて本体枠開放監視処理を実行した後は、ステップＳ２０４にて始動入賞処理を実行した後に本タイマ割込み処理を終了する。当該始動入賞処理については既に説明したとおりである。
【０２０７】
次に、メイン処理（図２２）にて実行される処理について説明する。
【０２０８】
メイン処理では、各監視装置２５０，２９０に関して、ステップＳ３１４〜ステップＳ３１８の復電時用開放監視処理を実行する。
【０２０９】
復電時用開放監視処理では、先ずステップＳ３１４にて検知状態把握処理を実行する。検知状態把握処理では、ステップＳ２０１の信号読み込み処理と同様に、第１監視装置２５０及び第２監視装置２９０から入力した信号の読み込みが行われ、この読み込まれた信号の情報は、ＣＰＵ３１１のレジスタに記憶保持される。
【０２１０】
続くステップＳ３１５では、比較処理を実行する。比較処理では、上記検知状態把握処理にてＣＰＵ３１１のレジスタに記憶した第１監視装置２５０の信号の値と、ＲＯＭ３１２に格納されている判定基準値とを比較する。また、比較処理では、上記検知状態把握処理にてＣＰＵ３１１のレジスタに記憶した第２監視装置２９０の信号の値と、ＲＯＭ３１２に格納されている判定基準値とを比較する。
【０２１１】
続くステップＳ３１６では、比較処理にて比較した第１監視装置２５０の信号の値が判定基準値を上回っているか否かを判定するとともに、第２監視装置２９０の信号の値が判定基準値を上回っているか否かを判定する。その結果、両方がそれぞれ判定基準値以上の場合には、ステップＳ３１１にて割込み許可を設定し、通常処理に移行する。いずれか一方でも判定基準値よりも小さい場合には、電源遮断中において前扉枠１４又は遊技機主部１２が開放されたことを意味するため、ステップＳ３１７に進む。
【０２１２】
ステップＳ３１７では、復電時用報知処理を実行する。復電時用報知処理では、音声ランプ制御装置１４３に復電時報知用コマンドを出力する。これにより、スピーカ部２６からの報知音の出力、エラー表示ランプ部２４の点灯、及び図柄表示装置９１での報知表示が行われる。但し、これらの報知態様は通常時報知用コマンドに基づく報知の態様とは異なっている。また、音声ランプ制御装置１４３では、遊技機主部１２や前扉枠１４が開閉されるといった報知解除操作が行われるまで各種報知を継続させる。つまり、通常時と復電時とでは、報知の態様だけでなく、報知解除の態様も異なっている。なお、これに限定されることはなく、報知の態様や報知解除の態様が通常時と復電時とで同一であってもよい。
【０２１３】
また、復電時用報知処理では、遊技ホールに設けられたホールコンピュータに外部端子板２１３を介して復電時報知用信号を出力する。この場合、ホールコンピュータでは復電時報知用信号をパチンコ機１０から入力した日時やパチンコ機１０の台番号といった識別情報を履歴として記憶する処理や、遊技ホールに設けられた監視カメラを対象となるパチンコ機１０に向けるといった処理を実行する。
【０２１４】
上記復電時用報知処理が実行されることにより、電源遮断中に前扉枠１４又は遊技機主部１２が開放操作されていた場合には、それを遊技ホールの管理者等に報知することができ、仮にそれが不正開放である場合にはそれに対処させることができる。
【０２１５】
なお、復電時用報知処理において前扉枠１４が開放操作されていた場合と遊技機主部１２が開放操作されていた場合とで、電断時報知用コマンド又は電断時開放検知信号の情報形態を異ならせてもよい。この場合、前扉枠１４が電源遮断中に開放された場合と遊技機主部１２が電源遮断中に開放された場合とで、パチンコ機１０自身又はホールコンピュータにおいて報知の態様を異ならせることができ、遊技ホールの管理者等に対して適切に対処させることが可能となる。また、復電時用報知処理は、上記のものに限定されることはなく、復電時報知用コマンド又は復電時報知用信号のいずれか一方のみを出力する構成としてもよい。また、復電時報知用コマンドの出力に基づく処理として、スピーカ部２６からの報知音の出力、エラー表示ランプ部２４の点灯、又は図柄表示装置９１での報知表示のうち一部のみを実行する構成としてもよい。
【０２１６】
ステップＳ３１７にて復電時用報知処理を実行した後は、ステップＳ３１１にて割込み許可を設定し、通常処理に移行する。
【０２１７】
以上詳述した本実施の形態によれば、以下の優れた効果を奏する。
【０２１８】
前扉枠１４の開放状態を監視する第１監視装置２５０を設けた。この第１監視装置２５０によって、前扉枠１４が開放されていることを検知し、エラー表示ランプ部２４等を用いて報知することができる。これにより、遊技盤８１（遊技領域）に対して行なわれる不正を抑制することができる。
【０２１９】
第１監視装置２５０によって電力供給時の前扉枠１４の開放検知と、電力供給遮断時の前扉枠１４の開放検知とを実現している。これにより、構成の煩雑化を抑えつつ、不正抑制効を向上することが可能となっている。
【０２２０】
本実施の形態においては特に、構造的側面から前扉枠１４の不正開放が行なわれた事実を保存する構成とした。電気的側面から前扉枠１４の開放履歴を保存する構成と比較すれば、電力供給が遮断された状態で電気機器を動かすための電源（例えばバッテリ等）を必要としない。故に、省エネに貢献しつつ不正抑制効を高めることができる。
【０２２１】
遮蔽部２７７ｂの第１位置及び第２位置の両位置間での移動に、遮蔽部２７７ｂの自重とソレノイド２７６の磁力とを利用している。このように遮蔽部２７７ｂの自重落下を利用することで、付勢部材等を用いることなく、遮蔽部２７７ｂの両位置間での移動を実現している。これにより、遮蔽部２７７ｂを往復運動させるための構成の簡略化に貢献している。
【０２２２】
発光素子２６６及び受光素子２６７を本体枠１３側に集約し、前扉枠１４に光反射部材２７４を配置することで、発光素子２６６からの光を受光素子２６７へ届ける構成とした。このように電気的な接続を必要とする各素子２６６，２６７を本体枠１３側に集約することで、ハーネス等の取り回しの簡略化を実現している。また、前扉枠１３の開放検知に必要な構成（第１監視装置２５０等）を主として本体枠１３側にまとめて配置することで、前扉枠１３の重量の増加を抑えている。これにより、前扉枠１３の開閉時の作業性を担保している。
【０２２３】
また、光反射部材２７４を用いることで、光の通過経路を長く設定することができる。発光素子２６６からの光が光反射部材２７４によって反射され、受光素子２６７に到達する構成において、光反射部材２７４からの反射光が到達する位置は、光反射部材２７４への入射角と光の通過経路の長さとによって変化する。前扉枠１４の開放角度が小さい場合、すなわち光反射部材２７４への入射角の変化が小さい場合であっても、光の通過経路を長く設定することで、反射光の到達位置の変化を大きくすることができる。これにより、受光素子２６７への反射光の到達を抑え、前扉枠１４の開放検知の精度を向上することができる。すなわち、前扉枠１４の開放角度が小さい場合でも、開放状態を好適に検知することが可能となっている。例えば、前扉枠１４を少しだけ開いた状態で行なわれる不正行為の抑制に貢献することができる。
【０２２４】
光反射部材２７４としてプリズムを用い、発光素子２６６と受光素子２６７との中心軸線の方向を前後方向に設定した。前扉枠１４が回動する際に、その回動量が微小な状態では、その回動先端部分の初期位置からの変位成分は左右方向よりも前後方向で大きくなりやすい。すなわち、前扉枠１４が閉じた状態においては、光反射部材２７４と各素子２６６，２６７との位置関係は左右方向では変わりにくくなっている。このため、仮に、閉状態での前扉枠１４の位置が回動方向に若干ばらついた場合であっても、発光素子２６６から光反射部材２７４を経由し受光素子２６７に到達する光の経路が担保されやすくなっている。換言すれば、前扉枠１４の位置ばらつきに伴う開放検知精度の低下が抑制されている。
【０２２５】
以上のように、光反射部材２７４と各素子２６６，２６７を設けることで、パチンコ機１０の前後方向への相対位置の変位を許容しつつ、左右方向への相対位置の変位を精度よく検知することができる。故に、前扉枠１４が閉じている状態での開放検知の誤作動を抑制しつつ、前扉枠１４が開放された際の検知精度を向上することが可能となっている。
【０２２６】
本実施の形態においては、本体枠１３と前扉枠１４との相対位置の変位を利用することで、遮蔽部２７７ｂの位置の切り替えを規制又は許容する構成とした。具体的には、前扉枠１４の突起１４ｂが遮蔽部２７７ｂの軌道上から離れることで、遮蔽部２７７ｂの第１位置及び第２位置の両位置間での移動が可能となる構成とした。前扉枠１４の開放角度が同一の場合、回動先端側における変位量は回動基端側における変位量よりも大きくなりやすい。第１監視装置２５０を、前扉枠１４の回動先端側に配置することで、前扉枠１４が小さく開放された場合でも、突起１４ｂの移動量を確保しやすくなる。これにより、前扉枠１４の開放度合いの大小によらず、第１監視装置２５０の開放検知機能を担保しやすくできる。
【０２２７】
遮蔽部２７７ｂによって受光素子２６７のみを覆う構成とした。両素子２６６，２６７を覆う構成とした場合を想定すれば、遮蔽部２７７ｂの位置がばらつくことで発光素子２６６からの光が遮蔽部２７７ｂによって反射され受光素子２６７に届くと可能性がある。かかる場合、前扉枠１４や遊技機主部１２が電力遮断時の開放事実を検知できないといった不都合が生じ得る。しかしながら、上述の如く受光素子２６７のみを覆うことで、遮蔽部２７７ｂにおける光の反射を抑制し、誤検知の回避に貢献することができる。
【０２２８】
電力遮断時における遊技機主部１２又は前扉枠１４の開放を検知した状態において、開放が検知された対象の開閉によって検知状態がリセットされる構成とした。遊技機主部１２及び前扉枠１４は所定のキー操作によって開放可能となっている。このため、検知状態が不正にリセットされるといった不都合を回避可能となっている。
【０２２９】
前扉枠１４を開放する際に、前扉枠１４の回転角度が所定の角度に達するまでは、本体枠１３の開口フランジ１３ａによって、前扉枠１４の前面が視認しにくくなっている。突起１４ｂによる遮蔽部２７７ｂの移動規制が解除されるタイミングは、第１監視装置２５０が視認可能となるタイミングよりも早く設定されている。このため、本体枠１３と前扉枠１４との境界部位から不正具を挿入し、その不正具によって遮蔽部２７７ｂの移動を妨げようとしても、不正具が挿入容易となった状態では、遮蔽部２７７ｂの移動が行なわれた後になる。このため、遮蔽部２７７ｂの移動を故意に妨げるといった不正行為を困難なものとすることができる。
【０２３０】
なお、上述した実施の形態の記載内容に限定されず、例えば次のように実施してもよい。
【０２３１】
（ａ）上記実施の形態では、外枠１１に対する遊技機主部１２の開放を監視する第１監視装置２５０、及び本体枠１３に対する前扉枠１４の開放を監視する第２監視装置２９０を設けたが、必ずしも両者を設ける必要はなく、いずれか一方のみを設ける構成としてもよい。また、本体枠１３に対する裏パックユニット１５の開放を監視する裏パック監視装置を設けることも可能である。
【０２３２】
（ｂ）上記実施の形態では、本体枠１３に各監視装置２５０，２９０を配置したが、これを変更し、第１監視装置２５０を前扉枠１４に配置し、第２監視装置を外枠１１に配置することも可能である。また両監視装置２５０，２９０をまとめてユニット化し、本体枠１３に配置することも可能である。これにより、メンテナンス等の際に確認すべき部位を減らし、作業効率の向上に貢献することができる。
【０２３３】
（ｃ）上記実施の形態では、光反射部材２７４をプリズムで構成したが、これを変更し、平面鏡等の鏡で構成することも可能である。例えば、平面鏡を１つだけ用いる場合、発光素子２６６及び受光素子２６７の中心軸線が前扉枠１４の背面にて互いに交差する構成とし、その交差する位置に平面鏡を配置するとよい。
【０２３４】
（ｄ）上記実施の形態では、本体枠１３に発光素子２６６及び受光素子２６７を設けるとともに、前扉枠１４に光反射部材２７４を設けた。これを以下のように変更してもよい。すなわち、図２６の（ａ）に示すように、本体枠１３及び前扉枠１４のいずれか一方に発光素子４００を設け、他方に受光素子４０１を設ける構成としてもよい。両素子４００，４０１を対向して配置することで、両素子４００，４０１間での光の受け渡しが可能となる。これにより、両素子４００，４０１間での光の拡散を抑制し、受光素子４０１に到達する光の量を担保しやすくできる。
【０２３５】
（ｅ）上記実施の形態では、ソレノイド２７６の動作軸２７７が通電時には縮み状態となり、電断時には伸び状態となる構成としたが、これを変更し、通電時には伸び状態となり、電断時には縮み状態となる構成とすることも可能である。
【０２３６】
（ｆ）上記実施の形態では、ソレノイドの２７６の中心軸線が上下方向を向く構成としたが、これを以下のように変更することも可能である。すなわち、ソレノイド２７６の中心軸線が水平方向を向いてもよい。但し、かかる場合、動作軸２７７の自重を利用した位置の切り替えが困難となる。そこで、ソレノイド２７６の通電時の動作方向と反対の方向に動作軸２７７を付勢する付勢手段を設けるとよい。例えば、コイルバネを用いるとよい。ソレノイド２７６が励磁されることで、コイルバネの付勢力に抗して動作軸２７７が移動可能とすることで、第１位置及び第２位置間での切り替えが担保される。
【０２３７】
（ｇ）上記実施の形態では、収容ケース体２５１全体が光透過性を有する構成としたが、必ずしも収容ケース体２５１の全体が光透過性を有する必要はない。少なくとも収容ケース体２５１の前板部２５５における両素子２６６，２６７と対向する範囲が光透過性を有すればよい。
【０２３８】
（ｈ）上記実施の形態では、発光素子２６６及び受光素子２６７の光センサによって、開放検知を行う構成としたが、光センサに代えてプッシュセンサを用いることも可能である。以下、図２６の（ｂ）に基づき、プッシュセンサを用いた具体的構成について説明する。遮蔽部２７７ｂの下限位置には、遮蔽部２７７ｂと当接するスイッチ４１０を設けられている。スイッチ４１０は、収容ケース体２５１への取り付け対象たる基部４１１と、基部４１１に対して変位可能に設けられた可動部４１２とを備えている。可動部４１２は遮蔽部２７７ｂの移動方向と同一方向に変位可能に設定されており、遮蔽部２７７ｂに向かって伸びる伸び位置と縮み位置との２つの状態で切り替え可能となっている。スイッチ４１０における遮蔽部２７７ｂとの当接部４１３は図示せぬ付勢手段（例えばコイルバネ）によって伸び位置に向けて付勢されている。可動部４１２の先端には遮蔽部２７７ｂに当接する当接部４１３が設けられており、遮蔽部２７７ｂが第２位置に移動する際には、当接部４１３に当たる構成となっている。可動部４１２が伸び位置にある状態で、遮蔽部２７７ｂが当接部４１３に当たると、可動部４１２は付勢手段の付勢力に抗して押し込まれ、縮み位置へと移行される。例えば、スイッチ４１０が縮み状態となることで所定の信号が中継基板２８６に出力される構成とすればよい。信号の出力がなされることで、電力遮断時における前扉枠１４等の不正開放を検知することができる。
【０２３９】
（ｉ）上記実施の形態では、第１監視装置２５０を本体枠１３における、前扉枠１４の回動先端側に設けたが、第１監視装置２５０の位置はこれに限定されるものではない。例えば、本体枠１３の回動基端側に設けてもよい。また、第２監視装置２９０についても同様に、その配置位置は本体枠１３の下部に限定されるものではなく、例えば本体枠１３の上部に設けることも可能である。
【０２４０】
（ｊ）上記実施の形態では、第１監視装置２５０が、電力供給時の開放検知機能及び電力遮断時の開放検知機能を併せ有する構成としたが、各開放検知機能を別々の監視装置が有する構成としてもよい。以下、図２６の（ｃ）を用いて具体例について説明する。図２６の（ｃ）は電力遮断時の開放監視装置の１実施形態を示す概略図である。
【０２４１】
開放監視装置４２０は、ハウジング４２１の内部に、対向配置された発光素子４２２と受光素子４２３とを備えている。両素子４２２，４２３の間には所定の隙間が設けられており、その隙間を遮蔽部４２４が移動可能となっている。発光素子４２２から発せられた光はハウジング４２１の外部を経由することなく、直接受光素子４２３に到達する構成となっている。かかる構成においては、電力供給状態での前扉枠１４の開放検知機能は省略されているが、電力遮断状態での前扉枠１４の開放検知機能は担保されている。かかる場合、ハウジング４２１は光透過性を有する必要は無く、ハウジング４２１が光透過性を有さない構成とすることで、開放監視装置４２０の外部からの遮蔽部４２４への不正なアクセスを困難なものとすることができる。なお、両素子４２２，４２３を対向配置するのではなく、左右又は上下に並設するとともに、両素子４２２，４２３に対向する鏡等の光反射部材を設けてもよい。上記変形例は、第２監視装置２９０に適応してもよい。
【０２４２】
（ｋ）上記実施の形態では、各監視装置２５０，２９０を主制御装置１６２に接続する構成としたが、その接続先は主制御装置１６２に限定されるものではない。例えば、音声ランプ制御装置１４３等に接続することも可能である。
【０２４３】
（ｌ）突起１４ｂの位置検出装置を更に備える構成とすることも可能である。位置検出装置により、前扉枠１４が閉じられている状態において突起１４ｂが所定の位置にあるか否かを検知する。これにより、電力遮断時における監視装置２５０の開放事実保持機能を担保することができる。以下、具体的構成について図２６の（ｄ）に基づいて説明する。
【０２４４】
ハウジング２５２の内部には検出スイッチ４３０が設けられている。検出スイッチ４３０は、蓋用ケース体２８０への取り付け対象たる基部４３１と、基部４３１に対して変位可能に設けられた可動部４３２とを備えている。可動部４３２は突起１４ｂの挿入方向と同一の方向に変位可能に設定されている。より詳しくは、可動部４３２は伸び位置と縮み位置の２つの位置に切り替え可能となっている。検出スイッチ４３１は図示せぬ付勢部材（例えばコイルバネ）を備えており、この付勢部材により可動部４３２は伸び位置に向けて付勢されている。可動部４３２の先端には、突起１４ｂの先端部が当たる当接部４３３が設けられている。前扉枠１４が閉じた際には、突起１４ｂの先端部が当接部４３３に当たる。可動部４３２は付勢部材の付勢力に抗して押し込まれることで、伸び位置から縮み位置へ移行される。例えば、可動部４３２が縮み位置に切り替えられることで所定の信号が中継基板２８６に出力される構成とすればよい。信号の出力がなされることで、電力遮断時における前扉枠１４等の不正開放を検知することができる。なお、位置検出装置４３０においては、スイッチに代えて光学センサ等を用いることも可能である。
【０２４５】
（ｍ）上記実施の形態では、ソレノイド２７６が励磁されることで、動作軸２７７が上方に引き上げられる構成としたが、これを以下のように変更することも可能である。すなわち、ソレノイド２７６が励磁されることで、動作軸が下方に引き下げられる構成とすることも可能である。例えば、ソレノイド２７６を上下逆となるように配置するとよい。かかる場合非励磁状態にて動作軸２７７を移動させるための手段として、重力に替えバネ等の付勢部材による付勢力を用いるとよい。
【０２４６】
（ｎ）上記実施の形態では、動作軸２７７の円柱部２７７ａと遮蔽部２７７ｂとを一体として設けたが、これらを別体とすることも可能である。例えば、回動可能に軸支された棒状の中間体を設け、その軸支された部分を挟んで一方に遮蔽部をもうけるとともに、他方に、動作軸の円柱部と当接可能な当接部を設けるとよい。動作軸が当接部を押すことで中間体が回動し、それに伴って遮蔽部が変位する。これにより、遮蔽部の位置を切り替えることができる。なお、動作軸が当接部から離れる方向に移動した際に、遮蔽部を変位させるには、遮蔽部自身の重み（すなわち重量）を利用したり、バネ等の付勢部材によって付勢したりするとよい。
【０２４７】
（ｏ）上記第７の実施の形態では、ソレノイド２７６を励磁することで、ソレノイド２７６に挿通されたプランジャとしての動作軸２７７を変位させる構成としたが、これを以下のように変更することも可能である。すなわち、プランジャを有するソレノイドタイプの電磁石に代えて、プランジャを有さないタイプの電磁石を用いることも可能である。例えば、動作軸２７７に代えて、電磁石とは別個独立して設けられた磁性体からなる鉄球等の遮蔽部材を設け、電磁石を励磁することでこの遮蔽部材そのものが電磁石に引き寄せられる構成とするとよい。より具体的には、電磁石の磁力発生部分の下方に遮蔽部材を配置するとよい。電磁石が励磁されることで、遮蔽部材が持ち上げられ磁力発生部分に引き寄せられる。これにより、遮蔽部材の位置の切り替えを実現することができる。
【０２４８】
（ｐ）上記実施の形態では、本体枠１３や前扉枠１４の開放監視処理を、タイマ割込み処理内及びメイン処理内に組み込む構成としたが、これを変更し、本体枠１３や前扉枠１４の開放監視処理を、通常処理内に組み込むことも可能である。
【０２４９】
（ｑ）上記実施の形態とは異なる他のタイプの遊技機にも適応可能である。例えば、遊技球を遊技媒体として用いるパチンコ機、アレンジボール機、雀球等の弾球遊技機に適用可能である。また、遊技球を遊技媒体として用い、いわゆるスロットマシンに類似した遊技を行うことのできる球使用回胴遊技機（いわゆる、パロット）へも適用できる。
【０２５０】
以上詳述した（ａ）〜（ｑ）の各別例における構成を任意に組み合わせることも可能である。
【符号の説明】
【０２５１】
１０…遊技機としてのパチンコ機、１１…支持対象としての外枠、１２…開閉体としての遊技機主部、１３…支持対象としての本体枠、１４…開閉体としての前扉枠、１４ｂ…突起、７１…樹脂ベース、７１ｂ…開口部、８３…可変入賞装置、１６２…主制御装置、２２４…払出装置、２４２…払出制御装置、２５０…第１監視装置、２５１…収容ケース体、２６０…張出部、２６０ａ…挿通孔、２６５…検知装置、２６６…発光素子、２６７…受光素子、２６８…収容体、２７１…当接部、２７１ａ…上側当接面、２７４…光反射部材、２７５…動作機構、２７６…ソレノイド、２７７…動作軸、２７７ａ…遮蔽部、２８０…蓋用ケース体、２９０…第２監視装置、２９５…基材、２９６…突起、２９７…凹部、２９８…光反射部材、３１１…ＣＰＵ、３１３…ＲＡＭ、３２１ｃ…電断時用電源手段としてのデータ記憶保持用コンデンサ。
【図１】
0005582227.tif 000002
【図２】
0005582227.tif 000003
【図３】
0005582227.tif 000004
【図４】
0005582227.tif 000005
【図５】
0005582227.tif 000006
【図６】
0005582227.tif 000007
【図７】
0005582227.tif 000008
【図８】
0005582227.tif 000009
【図９】
0005582227.tif 000010
【図１０】
0005582227.tif 000011
【図１１】
0005582227.tif 000012
【図１２】
0005582227.tif 000013
【図１３】
0005582227.tif 000014
【図１４】
0005582227.tif 000015
【図１５】
0005582227.tif 000016
【図１６】
0005582227.tif 000017
【図１７】
0005582227.tif 000018
【図１８】
0005582227.tif 000019
【図１９】
0005582227.tif 000020
【図２０】
0005582227.tif 000021
【図２１】
0005582227.tif 000022
【図２２】
0005582227.tif 000023
【図２３】
0005582227.tif 000024
【図２４】
0005582227.tif 000025
【図２５】
0005582227.tif 000026
【図２６】
0005582227.tif 000027